(57)【特許請求の範囲】
【請求項１】
Ａ）水相と、
Ｂ）油相と、
Ｃ）乳化剤と、を含むエマルションであって、前記乳化剤が式：
Ｒ２ａＲ１（３−ａ）ＳｉＯ−［（ＳｉＲ２Ｒ１Ｏ）ｍ−（ＳｉＲ１２Ｏ）ｎ］ｙ−ＳｉＲ１（３−ａ）Ｒ２ａを有するサッカリドシロキサンコポリマーであり、式中、
各Ｒ１は同じであっても又は異なっていてもよく、各Ｒ１は、水素、アルキル基、有機基、又は式Ｒ３−Ｑの基を含み、
Ｑは、エポキシ、シクロアルキルエポキシ、一級又は二級アミノ、エチレンジアミン、カルボキシ、ハロゲン、ビニル、アリル、無水物、又はメルカプト官能基を含み、
下付き文字ｍ及びｎは０〜１５，０００の整数であり、同じであっても又は異なっていてもよく、
各下付き文字ａは独立して、０、１、２又は３であり、
下付き文字ｙは、コポリマーが１，０００，０００未満の分子量を有するような整数であり、
各Ｒ２は式Ｚ−（Ｇ１）ｂ−（Ｇ２）ｃを有し、平均でコポリマー分子１個あたり少なくとも１個のＲ２が存在し、
Ｇ１は、５〜１２個の炭素原子を含むサッカリド構成要素であり、
数量（ｂ＋ｃ）は、１〜１０の範囲の値を有し、
下付き文字ｂ又は下付き文字ｃは、０であることができ、
Ｇ２は、有機又は有機ケイ素ラジカルで追加的に置換された５〜１２個の炭素原子を含むサッカリド構成要素であり、
各Ｚは連結基であり、−Ｒ３−Ｎ（Ｒ８）−Ｃ（Ｏ）−Ｒ４−、−Ｒ３−ＣＨ（ＯＨ）−ＣＨ２−Ｎ（Ｒ８）−Ｒ４−又は
−Ｒ３−ＣＨ（Ｎ（Ｒ４）（Ｒ８））ＣＨ２ＯＨからなる群から独立して選択され、
各Ｒ３及び各Ｒ４は、式（Ｒ５）ｒ（Ｒ６）ｓ（Ｒ７）ｔの基を含む二価のスペーサー基であり、
下付き文字ｒ、ｓ及びｔのうちの少なくとも１つは、１であり、
各Ｒ５及び各Ｒ７は独立して、１〜１２個の炭素原子のアルキレン基又は式（Ｒ９Ｏ）ｐの基のいずれかであり、
下付き文字ｐは、１〜５０の範囲の値を有する整数であり、
各Ｒ９は、二価の有機基であり、
各Ｒ９Ｏは同じであっても又は異なっていてもよく、
各Ｒ６は−Ｎ（Ｒ８）−であり、Ｒ８は、Ｒ３、一価の炭化水素基、又は、−Ｎ（Ｈ）−と、エポキシ官能基、シクロアルキルエポキシ官能基、グリシジルエーテル官能基、酸無水物官能基若しくはラクトンと、の反応生成物から選択され、
各Ｘは独立して、二価カルボン酸、ホスフェート、サルフェート、スルホネート、又は四級アンモニウムラジカルであり、
但し、各Ｒ３及び各Ｒ４は同じであっても又は異なっていてもよい、エマルション。
【請求項２】
前記水相が不連続であり、前記油相が連続である、請求項１に記載のエマルション。
【請求項３】
前記油相がシリコーンオイルを含む、請求項１又は２に記載のエマルション。
【請求項４】
前記シリコーンオイルがポリジアルキルシロキサンである、請求項３に記載のエマルション。
【請求項５】
前記油が、炭化水素油、エステル、植物油、鉱物油又は脂肪族アルコールである、請求項１又は２に記載のエマルション。
【請求項６】
前記コポリマーと前記油が、コポリマー／油の重量比が１／１〜１／５０の範囲であるような量で存在する、請求項１に記載のエマルション。
【請求項７】
（Ａ）請求項１〜６のいずれか一項に記載のエマルションと、
（Ｂ）追加の成分と、を含む、組成物。
【請求項８】
前記成分（Ｂ）が、追加のシリコーン、エアゾール、酸化防止剤、クレンジング剤、着色剤、追加のコンディショニング剤、付着剤、電解質、皮膚軟化剤及び油、剥離剤、起泡増進剤、芳香剤、保湿剤、閉塞剤、殺シラミ剤、ｐＨ調整剤、色素、防腐剤、殺生物剤、他の溶媒、安定剤、日焼け防止剤、懸濁化剤、なめし剤、他の表面活性剤、増粘剤、ビタミン、植物成分、ワックス、レオロジー変性剤、制汗剤、抗フケ剤、抗ニキビ剤、抗う食剤及び創傷治癒促進剤、追加の油、親水性媒質、充填剤、繊維、フィルム形成ポリマー、追加の界面活性剤及び／又は乳化剤、染料、構造剤、有効成分、芳香剤、防腐剤及びこれらの組み合わせから選択される、請求項７に記載の組成物。
【請求項９】
前記組成物が、適用される身体の一部に効果をもたらすように調整したパーソナルケア組成物である、請求項７又は８に記載の組成物。
【請求項１０】
前記パーソナルケア組成物が、制汗剤及び脱臭剤、スキンクリーム、スキンケアローション、加湿剤、にきび又はしわ除去剤などの顔用トリートメント、パーソナル及び洗顔料、浴用オイル、香料、コロン、サッシェ、日焼け止め剤、プレシェーブ及びアフターシェーブローション、ひげそり用石鹸、及びひげそり用フォーム、毛髪用シャンプー、ヘアコンディショナー、染毛剤、毛髪弛緩剤、ヘアスプレー、ムース、ジェル、パーマ剤、脱毛剤、及びキューティクルコート、メークアップ、着色化粧料、ファンデーション、コンシーラー、ブラシ、口紅、アイライナー、マスカラ、油除去剤、着色化粧料除去剤、リンクルフィラー、肌荒れ隠し（skin imperfection hider）、皮膚表面スムーザー、まつげカーラー、マニキュア液、ヘアメークアップ製品、アイシャドウ、ボディメークアップ、及び粉末、薬剤クリーム、ペースト又はスプレー（抗ニキビ剤など）、歯科衛生品、抗生物質、治癒促進剤、栄養素及びこれらに類するものから選択され、これらが予防及び／又は治療用であり得る、請求項９に記載の組成物。
【請求項１１】
請求項１〜６のいずれか一項に記載のエマルションを製造する方法であって、
１）前記コポリマーを前記油中に分散させる工程と、
２）前記水相を工程１）の生成物に添加する工程と、
３）混合する工程と、を含む、方法。
【請求項１２】
前記方法が、工程２）中及び／又は工程２）の後に前記エマルションをせん断にかける工程を更に含む、請求項１１に記載の方法。
【請求項１３】
工程２）及び工程３）が、漸増的に前記水相の少しずつ添加し、混合し、最終的に、前記水相のすべてが添加されるまでこの工程を繰り返すことにより、実施される、請求項１１に記載の方法。
【請求項１４】
式：
Ｒ２ａＲ１（３−ａ）ＳｉＯ−［（ＳｉＲ２Ｒ１Ｏ）ｍ−（ＳｉＲ１２Ｏ）ｎ］ｙ−ＳｉＲ１（３−ａ）Ｒ２ａのサッカリドシロキサンコポリマーであって、式中、
各Ｒ１は同じであっても又は異なっていてもよく、各Ｒ１は、水素、アルキル基、有機基、又は式Ｒ３−Ｑの基を含み、
Ｑは、エポキシ、シクロアルキルエポキシ、一級又は二級アミノ、エチレンジアミン、カルボキシ、ハロゲン、ビニル、アリル、無水物、又はメルカプト官能基を含み、
下付き文字ｍ及びｎは０〜５００の整数であり、同じであっても又は異なっていてもよく、各下付き文字ａは独立して０、１、２又は３であり、
下付き文字ｙは、コポリマーが１，０００，０００未満の分子量を有するような整数であり、
各Ｒ２は式Ｚ−（Ｇ１）ｂ−（Ｇ２）ｃを有し、平均でコポリマー分子１個あたり少なくとも１個のＲ２が存在し、
Ｇ１は、５〜１２個の炭素原子を含むサッカリド構成要素であり、
数量（ｂ＋ｃ）は、１〜１０の範囲の値を有し、
下付き文字ｂ又は下付き文字ｃは、０であることができ、
Ｇ２は、有機又は有機ケイ素ラジカルで追加的に置換された５〜１２個の炭素原子を含むサッカリド構成要素であり、
各Ｚは連結基であり、−Ｒ３−Ｎ（Ｒ８）−Ｃ（Ｏ）−Ｒ４−、−Ｒ３−ＣＨ（ＯＨ）−ＣＨ２−Ｎ（Ｒ８）−Ｒ４−又は
−Ｒ３−ＣＨ（Ｎ（Ｒ４）（Ｒ８））ＣＨ２ＯＨからなる群から独立して選択され、
各Ｒ３及び各Ｒ４は、式（Ｒ５）ｒ（Ｒ６）ｓ（Ｒ７）ｔの基を含む二価のスペーサー基であり、
下付き文字ｒ、ｓ及びｔのうちの少なくとも１つは、１であり、
各Ｒ５及び各Ｒ７は独立して、１〜１２個の炭素原子のアルキレン基又は式（Ｒ９Ｏ）ｐの基のいずれかであり、
下付き文字ｐは、１〜５０の範囲の値を有する整数であり、
各Ｒ９は、二価の有機基であり、
各Ｒ９Ｏは同じであっても又は異なっていてもよく、
各Ｒ６は−Ｎ（Ｒ８）−であり、Ｒ８は、Ｒ３、一価の炭化水素基、又は、−Ｎ（Ｈ）−と、エポキシ官能基、シクロアルキルエポキシ官能基、グリシジルエーテル官能基、酸無水物官能基若しくはラクトンと、の反応生成物から選択され、
各Ｘは独立して、二価カルボン酸、ホスフェート、サルフェート、スルホネート、又は四級アンモニウムラジカルであり、
但し、各Ｒ３及び各Ｒ４は同じであっても又は異なっていてもよい、サッカリドシロキサンコポリマー。
【請求項１５】
各Ｒ５及び各Ｒ７が独立して、炭素原子が１〜１２個のアルキレン基である、請求項１４に記載のコポリマー。
【請求項１６】
式：
Ｒ２ａＲ１（３−ａ）ＳｉＯ−［（ＳｉＲ２Ｒ１Ｏ）ｍ−（ＳｉＲ１２Ｏ）ｎ］ｙ−ＳｉＲ１（３−ａ）Ｒ２ａのコポリマーを作製する方法であって、式中、
各Ｒ１は同じであっても又は異なっていてもよく、各Ｒ１は、水素、アルキル基、有機基、又は式Ｒ３−Ｑの基を含み、
Ｑは、エポキシ、シクロアルキルエポキシ、一級又は二級アミノ、エチレンジアミン、カルボキシ、ハロゲン、ビニル、アリル、無水物、又はメルカプト官能基を含み、
下付き文字ｍ及びｎは０〜１０，０００の整数であり、同じであっても又は異なっていてもよく、
各下付き文字ａは独立して、０、１、２又は３であり、
下付き文字ｙは、コポリマーが１，０００，０００未満の分子量を有するような整数であり、
各Ｒ２は式Ｚ−（Ｇ１）ｂ−（Ｇ２）ｃを有し、平均でコポリマー分子１個あたり少なくとも１個のＲ２が存在し、
Ｇ１は、５〜１２個の炭素原子を含むサッカリド構成要素であり、
数量（ｂ＋ｃ）は、１〜１０の範囲の値を有し、
下付き文字ｂ又は下付き文字ｃは、０であることができ、
Ｇ２は、有機又は有機ケイ素ラジカルで追加的に置換された５〜１２個の炭素原子を含むサッカリド構成要素であり、
各Ｚは連結基であり、−Ｒ３−Ｎ（Ｒ８）−Ｃ（Ｏ）−Ｒ４−、−Ｒ３−ＣＨ（ＯＨ）−ＣＨ２−Ｎ（Ｒ８）−Ｒ４−又は
−Ｒ３−ＣＨ（Ｎ（Ｒ４）（Ｒ８））ＣＨ２ＯＨからなる群から独立して選択され、
各Ｒ３及び各Ｒ４は、式（Ｒ５）ｒ（Ｒ６）ｓ（Ｒ７）ｔの基を含む二価のスペーサー基であり、
下付き文字ｒ、ｓ及びｔのうちの少なくとも１つは、１であり、
各Ｒ５及び各Ｒ７は独立して、１〜１２個の炭素原子のアルキレン基又は式（Ｒ９Ｏ）ｐの基のいずれかであり、
下付き文字ｐは、１〜５０の範囲の値を有する整数であり、
各Ｒ９は、二価の有機基であり、
各Ｒ９Ｏは同じであっても又は異なっていてもよく、
各Ｒ６は−Ｎ（Ｒ８）−であり、Ｒ８は、Ｒ３、一価の炭化水素基、又は、−Ｎ（Ｈ）−と、エポキシ官能基、シクロアルキルエポキシ官能基、グリシジルエーテル官能基、酸無水物官能基若しくはラクトンと、の反応生成物から選択され、
各Ｘは独立して、二価カルボン酸、ホスフェート、サルフェート、スルホネート、又は四級アンモニウムラジカルであり、
但し、各Ｒ３及び各Ｒ４は同じであっても又は異なっていてもよく、
前記方法は、
１）有機官能性ポリオルガノシロキサンを糖成分と反応させて、溶媒の存在下で前記サッカリドシロキサンコポリマーを製造する工程と、
場合によりｉｉ）一部の前記溶媒を除去する工程と、
ｉｉｉ）油を添加する工程と、を含む、方法。
【請求項１７】
各Ｒ５及び各Ｒ７が独立して、炭素原子が１〜１２個のアルキル基である、請求項１６に記載の方法。
【請求項１８】
前記油が、工程ｉ）の前及び／又は工程ｉ）中に添加される、請求項１６に記載の方法。
【請求項１９】
前記油が、工程ｉｉ）中及び／又は工程ｉｉ）の後に添加される、請求項１６に記載の方法。
【請求項２０】
４）前記溶媒を除去する工程を更に含む、請求項１６に記載の方法。
【請求項２１】
工程ｉ）が、
（Ａ）アミノ官能性ポリオルガノシロキサンと、
（Ｂ）サッカリドラクトンと、を含む成分を反応させることにより、実施される、請求項１６に記載の方法。
【請求項２２】
成分（Ａ）が
【化１】
0005878536.tif 000015
であり、式中、
各Ｒ１２は独立して一価の炭化水素基であり、
各Ｒ１３は独立して二価の有機基であり、
各Ｒ１４は独立して、水素原子、又は、炭素原子が１〜４個の一価の炭化水素基であり、
各下付き文字ｘは独立して０又は１であり、
下付き文字ｖは０〜１０，０００の範囲の値を有し、
下付き文字ｗは０〜１０，０００の範囲の値を有する、請求項２１に記載の方法。
【請求項２３】
成分（Ａ）が、トリメチルシロキシ末端ポリ（ジメチルシロキサン／メチル（アミノエチルアミノイソブチル）シロキサン）、トリメチルシロキシ末端ポリ（ジメチルシロキサン／メチル（アミノプロピル）シロキサン）、トリメチルシロキシ末端ポリ（ジメチルシロキサン／メチル（アミノエチルアミノプロピル）シロキサン）及びこれらの組み合わせから選択される、請求項２２に記載の方法。
【請求項２４】
成分（Ｂ）が
【化２】
0005878536.tif 000016
であり、式中、
各Ｒ１１は独立して、水素原子、ヒドロキシル基、アルコキシ基又はサッカリド基であり、
下付き文字ｕは、５〜１２の範囲の値を有する、請求項２１に記載の方法。
【請求項２５】
成分（Ｂ）がブチロラクトン、ε−カプロラクトン及びδ−グルコノラクトンから選択される、請求項２４に記載の方法。
【請求項２６】
工程ｉ）が、
（Ａ）エポキシ官能性ポリオルガノシロキサンと、
（Ｂ）ｎ−アルキルグルカミンと、を含む成分を反応させることにより、実施される、請求項１６に記載の方法。
【請求項２７】
成分（Ａ）が
【化３】
0005878536.tif 000017
であり、式中、
各Ｒ１２は独立して一価の炭化水素基であり、
各Ｒ１５は独立してエポキシ官能性有機基であり、
各下付き文字ｘは独立して０又は１であり、
下付き文字ｖは０〜１０，０００の範囲の値を有し、
下付き文字ｗは０〜１０，０００の範囲の値を有する、請求項２６に記載の方法。
【請求項２８】
前記ｎ−アルキルグルカミンがｎ−メチルグルカミンである、請求項２６に記載の方法。
【請求項２９】
アルケニル官能性エポキシ含有化合物とポリオルガノハイドロジェンシロキサンとを含む成分のヒドロシリル化により、前記エポキシ官能性ポリオルガノシロキサンを調製する工程を更に含む、請求項２６に記載の方法。
【請求項３０】
前記アルケニル官能性エポキシ含有化合物が、アリルグリシジルエーテル、ドデシルグリシジルエーテル、テトラデシルグリシジルエーテル又はオクタデシルグリシジルエーテルである、請求項２９に記載の方法。
【請求項３１】
前記成分がアルケンを更に含む、請求項２６に記載の方法。
【請求項３２】
前記アルケンがウンデセンを含む、請求項３１に記載の方法。
【請求項３３】
工程ｉ）が、
１）（ａ）ｎ−アルキル−グルカミンを（ｂ）アルケニル官能性エポキシ化合物と反応させる工程と、
２）工程１）の生成物を（ｃ）ポリオルガノハイドロジェンシロキサンでヒドロシリル化する工程と、を含む方法により実施される、請求項１６に記載の方法。
【請求項３４】
前記ｎ−アルキルグルカミンがｎ−メチルグルカミンである、請求項３３に記載の方法。
【請求項３５】
前記アルケニル官能性エポキシ含有化合物が、アリルグリシジルエーテル、ドデシルグリシジルエーテル、テトラデシルグリシジルエーテル又はオクタデシルグリシジルエーテルである、請求項３３に記載の方法。
【請求項３６】
工程ｉ）の生成物が二級アミン官能基を含有し、工程ｉ）の生成物を、ラクトン、ハロゲン化不飽和化合物、エポキシ官能性化合物又は酸無水物から選択されるキャッピング剤と反応させる工程を更に含む、請求項１６に記載の方法。
【請求項３７】
前記溶媒が、メタノール、エタノール、ｎ−プロパノール、イソプロパノール、２−プロパノール、イソブタノール、ｎ−ブタノール及びこれらの組み合わせから選択されるアルコールである、請求項１６に記載の方法。
【請求項３８】
前記油がシリコーンオイルである、請求項１６に記載の方法。
【請求項３９】
前記油がポリジアルキルシロキサンである、請求項３８に記載の方法。
【請求項４０】
前記油が、炭化水素油、エステル、植物油、鉱物油又は脂肪族アルコールから選択される有機油である、請求項１６に記載の方法。
【請求項４１】
前記コポリマーと前記油が、コポリマー／油の重量比が１／１〜１／５０の範囲になるような量で存在する、請求項１６に記載の方法。
【請求項４２】
エマルションを調製するための方法であって、
Ｉ）請求項１６〜４１のいずれか一項に記載の方法により調製された生成物に水相を添加する工程と、
ＩＩ）混合する工程と、を含む、方法。
【請求項４３】
前記方法が、工程ＩＩ）中及び／又は工程ＩＩ）の後に前記エマルションをせん断にかける工程ＩＩＩ）を更に含む、請求項４２に記載の方法。
【請求項４４】
工程Ｉ）及び工程ＩＩ）が、漸増的に前記水相の一部を添加し、混合し、最終的に、前記水相のすべてが添加されるまでこの工程を繰り返すことにより、実施される、請求項４２に記載の方法。
【請求項４５】
工程Ｉ）及び工程ＩＩ）が、混合を実行しながら一定時間にわたって持続的に前記水相を添加することにより、実施される、請求項４２に記載の方法。
【請求項４６】
工程Ｉ）中に第二の油を添加することを更に含む、請求項４２に記載の方法。
【請求項４７】
前記水相が前記エマルションの重量に基づいて２０重量％〜９５重量％の範囲の量で存在する、請求項４２に記載の方法。
【発明の詳細な説明】
【技術分野】
【０００１】
（関連出願の相互参照）
なし。
【背景技術】
【０００２】
サッカリドシロキサンは、当該技術分野において既知である。ヒドロキシル官能性サッカリド構成要素とオルガノシロキサン構成要素とを含むサッカリドシロキサンが、毛髪、皮膚、布地、紙、木及び他の基材に適用する場合に、有用であることが判明した。このサッカリド構成要素は、エーテル、エステル及びアミド結合が挙げられるがこれらに限定されない結合を介して、オルガノシロキサンに１箇所以上のペンダント又は末端位又はこれらのいくつかの組み合わせにて共有結合し得る。
【発明の概要】
【課題を解決するための手段】
【０００３】
サッカリドシロキサンコポリマー（コポリマー）は、乳化剤として有用である。このコポリマーを含有するエマルションは、パーソナルケア用途に有用である。
【発明を実施するための形態】
【０００４】
サッカリドシロキサンコポリマー（コポリマー）は、シリコーン中水エマルションのような油中水（ｗ／ｏ）型エマルションのための乳化剤として有用である。このコポリマーは、サッカリド構成要素と、シロキサン構成要素と、を含む。シロキサン構成要素は、コポリマー分子の主鎖を形成する。サッカリド構成要素は、末端基、ペンダント基、又は末端及びペンダント基の両方にて、シロキサン主鎖に結合され得る。あるいは、サッカリド構成要素は、ペンダント基にてシロキサン主鎖に結合され得る。
【０００５】
このコポリマーは、温度及び圧力の周囲条件下で、例えば、２５℃及び７６０ｍｍＨｇにて、固体であっても又は流体であってもよい。このコポリマーが周囲条件にて固体であるか又は液体若しくはゴムなどの流体であるかは、このコポリマーの重合度（ＤＰ）などの様々な因子に依存する。このコポリマーは、２〜１５，０００、あるいは５〜１０，０００、あるいは５０〜５，０００、あるいは１００〜１，０００、あるいは５０〜１，０００、あるいは１００〜４００の範囲のＤＰを有し得る。
【０００６】
あるいは、このコポリマーは、温度及び圧力の周囲条件下で、例えば、２５℃及び７６０ｍｍＨｇにて、流体であってもよい。このコポリマーの粘度は、コポリマーの重合度（ＤＰ）などの様々な因子に依存する。このコポリマーは、２〜５００、あるいは５〜５００、あるいは２５〜５００、あるいは５０〜４００、あるいは１００〜４００、あるいは５０〜３５０の範囲のＤＰを有し得る。
【０００７】
このコポリマーは、一般式：
Ｒ２ａＲ１（３−ａ）ＳｉＯ−［（ＳｉＲ２Ｒ１Ｏ）ｍ−（ＳｉＲ１２Ｏ）ｎ］ｙ−ＳｉＲ１（３−ａ）Ｒ２ａを有し、式中、
各Ｒ１は同じであっても又は異なっていてもよく、各Ｒ１は、水素、１〜１２個の炭素原子のアルキル基、有機基、又は式Ｒ３−Ｑの基を含み、
Ｑは、エポキシ、シクロアルキルエポキシ、一級又は二級アミノ、エチレンジアミン、カルボキシ、ハロゲン、ビニル、アリル、無水物、又はメルカプト官能基を含み、
下付き文字ｍ及びｎは０〜１５，０００の整数であり、同じであっても又は異なっていてもよく、
各下付き文字ａは独立して、０、１、２又は３であり、
下付き文字ｙは、コポリマーが１，０００，０００未満の分子量を有するような整数であり、
各Ｒ２は式Ｚ−（Ｇ１）ｂ−（Ｇ２）ｃを有し、平均でコポリマー分子１個あたり少なくとも１個のＲ２が存在し、
Ｇ１は、５〜１２個の炭素原子を含むサッカリド構成要素であり、
数量（ｂ＋ｃ）は、１〜１０の範囲の値を有し、
下付き文字ｂ又は下付き文字ｃは、０であることができ、
Ｇ２は、有機又は有機ケイ素ラジカルで追加的に置換された５〜１２個の炭素原子を含むサッカリド構成要素であり、
各Ｚは連結基であり、−Ｒ３−Ｎ（Ｒ８）−Ｃ（Ｏ）−Ｒ４−、−Ｒ３−ＣＨ（ＯＨ）−ＣＨ２−Ｎ（Ｒ８）−Ｒ４−又は
−Ｒ３−ＣＨ（Ｎ（Ｒ４）（Ｒ８））ＣＨ２ＯＨからなる群から独立して選択され、
各Ｒ３及び各Ｒ４は、式（Ｒ５）ｒ（Ｒ６）ｓ（Ｒ７）ｔの基を含む二価のスペーサ基であり、
下付き文字ｒ、ｓ及びｔのうちの少なくとも１つは１であり、
各Ｒ５及び各Ｒ７は独立して、１〜１２個の炭素原子のアルキレン基又は式（Ｒ９Ｏ）ｐの基のいずれかであり、
下付き文字ｐは、１〜５０の範囲の値を有する整数であり、
各Ｒ９は、二価の有機基であり、
各Ｒ９Ｏは同じであっても又は異なっていてもよく、
各Ｒ６は−Ｎ（Ｒ８）−であり、Ｒ８は、Ｒ３、一価の炭化水素基、式Ｚ−Ｘの基、又は、−Ｎ（Ｈ）−と、エポキシ官能基、シクロアルキルエポキシ官能基、グリシジルエーテル官能基、酸性無水物官能基若しくはラクトンと、の反応生成物から選択され、
各Ｘは独立して、二価カルボン酸、ホスフェート、サルフェート、スルホネート、又は四級アンモニウムラジカルであり、
但し、
Ｒ３及びＲ４のうちの少なくとも１つは、連結基内に存在しなければならず、
各Ｒ３及び各Ｒ４は、同じであっても又は異なっていてもよい。
【０００８】
各Ｒ１は同じであっても又は異なっていてもよい。各Ｒ１は、水素、１〜１２個の炭素原子のアルキル基、有機基、又は式Ｒ３−Ｑの基を含む。Ｑ基は、エポキシ、シクロアルキルエポキシ、一級又は二級アミノ、エチレンジアミン、カルボキシ、ハロゲン、ビニル、アリル、無水物、又はメルカプト官能基を含む。
【０００９】
下付き文字ｍ及びｎは０〜１５，０００の整数であり、同じであっても又は異なっていてもよい。あるいは、各下付き文字ｍは０〜５００であってもよく、各下付き文字ｎは０〜５００であってもよい。各下付き文字ａは独立して、０、１、２又は３である。あるいは、各下付き文字ａは、０であってもよい。下付き文字ａが０である場合、下付き文字ｍ及びｎのうちの少なくとも１つは０超であり、サッカリド構成要素のすべてはこのコポリマーにおける（末端基ではなく）ペンダント基にある。下付き文字ｙは、コポリマーが１，０００，０００未満の分子量を有するような整数である。下付き文字ｙ、並びに、下付き文字ｍ及びｎのうちの少なくとも１つは、サッカリド構成要素がこのコポリマーにおけるペンダント基にあるように、０超であってもよい。
【００１０】
各Ｒ２は式Ｚ−（Ｇ１）ｂ−（Ｇ２）ｃを有し、平均でコポリマー分子１個あたり少なくとも１個のＲ２が存在する。Ｇ１基は、５〜１２個の炭素原子を含むサッカリド構成要素である。下付き文字ｂ又は下付き文字ｃは、０であることができる。しかしながら、数量（ｂ＋ｃ）は、１〜１０の範囲の値を有する。Ｇ２基は、有機又は有機ケイ素基で追加的に置換された５〜１２個の炭素原子を含むサッカリド構成要素である。「置換された」は、炭素原子に結合した水素原子が別の置換基で、例えば、有機基で又は有機ケイ素基で、置換されたことを意味する。各Ｚは、連結基である。
【００１１】
各Ｚは独立して、−Ｒ３−Ｎ（Ｒ８）−Ｃ（Ｏ）−Ｒ４−、−Ｒ３−ＣＨ（ＯＨ）−ＣＨ２−Ｎ（Ｒ８）−Ｒ４−又は−Ｒ３−ＣＨ（Ｎ（Ｒ４）（Ｒ８））ＣＨ２ＯＨからなる群から選択される。各Ｒ３及び各Ｒ４は、式（Ｒ５）ｒ（Ｒ６）ｓ（Ｒ７）ｔの基を含む二価のスペーサ基である。下付き文字ｒ、ｓ及びｔのうちの少なくとも１つは、１である。各Ｒ５及び各Ｒ７は独立して、１〜１２個の炭素原子のアルキレン基又は式（Ｒ９Ｏ）ｐの基のいずれかである。下付き文字ｐは、１〜５０の範囲の値を有する整数である。各Ｒ９は、二価の有機基である。各Ｒ９Ｏは、同じであっても又は異なっていてもよい。あるいは、各Ｒ５及び各Ｒ７は独立して、１〜１２個の炭素原子のアルキレン基であり、このコポリマーは、式Ｒ９Ｏの基を有さなくてもよい。理論に束縛されるものではないが、式Ｒ９Ｏの基を有さないコポリマーは、乳化剤として使用される場合には、臭いの少ないエマルションをもたらし得ると考えられる。各Ｒ６は−Ｎ（Ｒ８）−であり、Ｒ８は、Ｒ３、式Ｚ−Ｘの基、一価の炭化水素基、又は、−Ｎ（Ｈ）−と、エポキシ官能基、シクロアルキルエポキシ官能基、グリシジルエーテル官能基、無水酢酸官能基若しくはラクトンと、の反応生成物から選択される。Ｒ８に好適な一価の炭化水素基は、飽和炭化水素基であっても又は不飽和炭化水素基であってもよい。Ｒ８が不飽和炭化水素基である場合、Ｒ８はアルケニル基であってもよい。このアルケニル基は２〜１２個の炭素原子を有してもよく、ビニル、アリル、デセニル及びドデセニルにより例示される。あるいは、このアルケニル基は、少なくとも１４個の炭素原子のような、より長い鎖を有してもよい。Ｒ８が飽和炭化水素基である場合、Ｒ８はアルキル基であってもよい。このアルキル基は、１〜１２個の炭素原子のような比較的短い鎖であってもよい。あるいは、このアルキル基は、少なくとも１４個の炭素原子のような、より長い鎖を有してもよい。各Ｘは独立して、二価カルボン酸、ホスフェート、サルフェート、スルホネート、又は四級アンモニウムラジカルであり、Ｒ３及びＲ４のうちの少なくとも１つは、連結基内に存在しなければならない。各Ｒ３及び各Ｒ４は、同じであっても又は異なっていてもよい。
【００１２】
このコポリマーの作製方法
上記コポリマーは、１）有機官能性ポリオルガノシロキサンを糖成分と反応させて、上記のようなサッカリドシロキサンコポリマーを製造する工程と、２）溶媒が存在する場合にはすべて又は一部の溶媒を除去する工程と、を含む方法により、作製され得る。
【００１３】
一実施形態では、このコポリマーを作製するための方法は、
１）一級アミンと二級アミンとを含有するアミン官能性ポリオルガノシロキサンをサッカリドラクトンと反応させて、一級アミンを消費する工程と、
２）工程１）の生成物をキャッピング剤と反応させて、二級アミンを封鎖する工程と、を含む。
【００１４】
工程１）及び２）は、連続して実行されてもよい。あるいは、工程１及び工程２は、組み合わせて、同時に実行されてもよい。
【００１５】
二級アミン官能基は、アミノプロピル、アミノエチルアミノプロピル及びアミノエチルアミノイソブチルから選択されてもよい。サッカリドラクトンは、アルドノラクトンであっても又はサッカリドから誘導される別のラクトンであってもよい。アルドノラクトンは、アルドン酸から誘導されるラクトンである。キャッピング剤は、ラクトン、ハロゲン化不飽和化合物、エポキシ官能性化合物、又は酸無水物であり得る。
【００１６】
工程１）は、（Ａ）アミノ官能性ポリオルガノシロキサンと、（Ｂ）アルドノラクトンと、を反応させることにより、実行され得る。成分（Ａ）は、式：
【００１７】
【化１】
0005878536.tif 000002
【００１８】
を有してもよく、式中、
各Ｒ１０は独立して二級アミノ基であり、各Ｒ１１は独立して一価の炭化水素基又はＲ１０であり、下付き文字ｗは０〜１０，０００の範囲の値を有し、下付き文字ｖは０〜１０，０００の範囲の値を有し、但し、Ｒ１１のすべての例が一価の炭化水素基である場合には下付き文字ｗは０超である。二級アミノ基は、例えば、アミノエチルアミノイソブチル又はアミノエチルアミノプロピルであり得る。
【００１９】
成分（Ａ）は、トリメチルシロキシ末端ポリ（ジメチルシロキサン／メチル（アミノエチルアミノイソブチル）シロキサン）；トリメチルシロキシ末端ポリ（ジメチルシロキサン／メチル（アミノエチルアミノプロピル）シロキサン）；
ジメチル，メチル（アミノエチルアミノイソブチル）シロキシ末端，ポリジメチルシロキサン；ジメチル，メチル（アミノエチルアミノプロピル）シロキシ末端，ポリジメチルシロキサン；及びこれらの組み合わせにより例示される。
【００２０】
成分（Ｂ）は、アルドノラクトン、又はサッカリドから誘導される別のラクトンである。成分（Ｂ）に好適なアルドノラクトンは、グルコノラクトン（ＧＬ）、エリスロノラクトン、ガラクトノラクトン、グルコノラクトン、マンノノラクトン及びリボラクトン（ribolactone）により例示される。サッカリドから誘導される他のラクトンとしては、グルコロノラクトン、グルコヘプタノラクトン、グルコオクタノラクトン、イソクエン酸ラクトン、サッカロラクトン及びラクトビオノラクトン（ＬＢＬ）を挙げることができる。あるいは、成分（Ｂ）は、ＧＬ又はＬＢＬであってもよい。成分（Ｂ）に好適なラクトンは、市販されている。
【００２１】
工程２）は、工程１）の生成物を（Ｃ）キャッピング剤と反応させて二級アミンをブロックすることにより、実行され得る。キャッピング剤は、ラクトン、二級アミン官能基上の水素と反応できるハロゲン化不飽和化合物、エポキシ官能性化合物又は酸無水物であってもよい。
【００２２】
キャッピング剤は、ラクトンであってもよい。このラクトンは、式：
【００２３】
【化２】
0005878536.tif 000003
【００２４】
を有してもよい。各Ｒ１２は独立して、水素原子、ヒドロキシル基、アルコキシ基又はサッカリド基である。アルコキシ基は、メトキシ、エトキシ、プロポキシ及びブトキシにより例示される。あるいは、各Ｒ１２は、ヒドロキシル基又はサッカリド基である。下付き文字ｕは、５〜１２の範囲の値を有する。工程２）で使用されるラクトンは、上記サッカリドラクトンにより例示され得る。あるいは、このラクトンは、ブチロラクトン、ε−カプロラクトン、γ−グルコノラクトン、δ−グルコノラクトン及びＬＢＬであってもよい。あるいは、このラクトンは、γ−グルコノラクトン又はδ−グルコノラクトンであってもよい。
【００２５】
あるいは、キャッピング剤は、二級アミン上の水素と反応できるハロゲン化不飽和化合物であってもよい。このハロゲン化不飽和化合物は、アルケニルクロリドのような、ハロゲン化不飽和炭化水素であってもよい。好適なアルケニルクロリドは、２〜１２個の炭素原子を有してもよく、ビニルクロリド、アリルクロリド、デシルクロリド又はドデシルクロリドが挙げられ得る。
【００２６】
あるいは、キャッピング剤は、エポキシ官能性化合物であってもよい。このエポキシ官能性化合物は、アリルエポキシ官能性化合物、シクロアルキルエポキシ官能性化合物、グリシジルエーテル官能性化合物及びグリシドールから選択されてもよい。
【００２７】
あるいは、キャッピング剤は、酸性無水物であってもよい。この酸無水物は、式：
【００２８】
【化３】
0005878536.tif 000004
【００２９】
を有してもよく、式中、各Ｒ１３は独立して一価の炭化水素基である。あるいは、各Ｒ１３は、１〜１２個の炭素原子のアルキル基のような、アルキル基であってもよい。好適なアルキル基は、メチル、エチル、プロピル及びブチルにより表される。あるいは、この酸無水物は、無水酢酸、無水クロロ酢酸、無水プロピオン酸、無水クロトン酸、無水メタクリル酸、無水酪酸、無水イソ酪酸、ピロ炭酸ジエチル又は４−ペンテン酸無水物を含み得る。あるいは、この酸無水物は、無水酢酸であってもよい。
【００３０】
あるいは、このコポリマーは、エポキシ官能性ポリオルガノシロキサンを、ｎ−メチルグルカミンなどのｎ−アルキルグルカミンと反応させることを含む方法により調製されてもよい。エポキシ官能性ポリオルガノシロキサンは、アルケニル官能性エポキシ含有化合物とポリオルガノハイドロジェンシロキサンとを含む成分をヒドロシリル化することによるといったような当該技術分野において既知の方法により調製されてもよい。アルケニル官能性エポキシ含有化合物は、アリルグリシジルエーテル、ドデセニルグリシジルエーテル、テトラデセニルグリシジルエーテル又はオクタデセニルグリシジルエーテルであってもよい。これらの成分は、場合により、ウンデセンのようなアルケンを更に含んでもよい。あるいは、当業者であれば、ｎ−アルキル−グルカミンをまずアルケニル官能性エポキシ含有化合物と反応させ、その後、ヒドロシリル化反応させて、その生成物をポリオルガノハイドロジェンシロキサンに結合させることもできる。
【００３１】
あるいは、このコポリマーは、
１）ｎ−アルキル−グルカミンをアルケニル官能性エポキシ化合物と反応させる工程と、
２）工程１）の生成物をポリオルガノハイドロジェンシロキサンでヒドロシリル化する工程と、を含む方法により調製されてもよい。
【００３２】
工程１）及び２）は、連続して実行されてもよい。あるいは、工程１及び工程２は、組み合わせて、同時に実行されてもよい。
【００３３】
この方法では、アルケニル官能性エポキシ含有化合物は、アリルグリシジルエーテル、ドデシルグリシジルエーテル、テトラデシルグリシジルエーテル又はオクタデシルグリシジルエーテルであってもよい。ｎ−アルキルグルカミンは、ｎ−メチルグルカミンであってもよい。
【００３４】
上記方法は、未希釈で実行されても又は溶媒の存在下で実行されてもよい。溶媒は、メタノール、エタノール、プロパノール、ブタノール又はこれらの組み合わせなどのアルコールであってもよい。あるいは、有機官能性ポリオルガノシロキサン（例えば、アミン官能性ポリオルガノシロキサン又はエポキシ官能性ポリオルガノシロキサン又はポリオルガノハイドロジェンシロキサン）は、エタノールなどの溶媒中にこの方法で使用される他の成分と共に溶解していてもよい。すべて又は一部の溶媒は、方法が完了した後に、例えば、ストリップ又は蒸留することにより、除去されてもよい。あるいは、このコポリマーは、例えば、溶媒がコポリマーが配合されるエマルションに好適な成分である場合には、方法が完了した後に、溶媒中に残ってもよい。
【００３５】
あるいは、上記方法は、油の存在下で実行されてもよい。この油は、溶媒に加えて添加されてもよい。この油は、成分がコポリマーを作製するために反応する前に、添加されてもよい。あるいは、この油は、コポリマー作製中及び／又は作製後、並びに、任意の溶媒の除去前に、添加されてもよい。あるいは、この油は、一部の溶媒を除去した後に、添加されてもよい。あるいは、この油は、すべての溶媒を除去した後に、添加されてもよい。
【００３６】
上記方法は、加熱することにより実行されてもよい。正確な温度は、選択される具体的な成分などの様々な因子に依存するが、しかしながら、温度は５０℃〜１００℃の範囲であってもよく、各工程についての反応時間は、数時間、あるいは最大で１０時間、あるいは１〜１０時間であってもよい。上記方法の第一及び第二工程は、連続して実行されてもよい。あるいは、工程１及び工程２は、組み合わせて、同時に実行されてもよい。
【００３７】
上記方法では、ポリオルガノシロキサンの官能基と反応する試薬の官能基のモル過剰が使用されてもよい。例えば、アリルグリシジルエーテルをＳｉＨ中間体ポリオルガノシロキサンでヒドロシリル化する際に、アリルグリシジルエーテルのモルとＳｉＨのモルの１．１：１の比が使用される。試薬とシロキサン結合官能基についての比は、最大で１．８：１であってもよい。あるいは、このモル比は、１：１〜１．８：１、あるいは１．１：１〜１．５：１の範囲であってもよい。
【００３８】
あるいは、サッカリドラクトンとアミンのモル比は、アミン官能性ポリオルガノシロキサンのアミン値から計算され、１：１であってもよい。しかしながら、サッカリドラクトンのサッカリド官能基とアミン官能性ポリオルガノシロキサンのアミンのモル比は、０．５：１〜２．０：１の範囲であってもよい。
【００３９】
用語の定義及び用法
すべての量、比率及び百分率は、特に示さない限り、重量によるものとする。本明細書で使用するとき、冠詞「ａ」、「ａｎ」及び「ｔｈｅ」は各々、本明細書の文脈により別途記載のない限り、１つ以上を指す。
【００４０】
「パーソナルケア」の技術は、身体の任意の部分の任意の局所的処置を含むことが意図されており、これは身体のその部分に効果をもたらすことが意図される。効果は直接であっても又は間接であってもよく、感覚、機械的、美容、保護、予防又は治療であってもよい。ヒト身体が本明細書で開示されているパーソナルケア組成物及びそれから配合される製品にとって特に望ましい標的基材であることが想到される一方で、同様の組織−特に皮膚及び毛髪などのケラチン組織−を有する他の哺乳類が好適な標的基材であり得、したがって、獣医学用途も本発明の範囲内であることは当業者にとって容易に明らかである。
【００４１】
提供されるパーソナルケア組成物は、身体の一部に効果をもたらすように適合される。本明細書で使用するとき、「適合される」は、身体の一部に効果を安全に及び有効にもたらすことを可能にするやり方で配合されることを意味する。本明細書で使用するとき、「安全に及び有効に」は、効果を求めている消費者に対して障害を与えることなく又は著しい不快感を生じることなく、効果を求めている消費者により知覚可能なレベルの効果をもたらす量を意味する。もたらされる効果よりも著しい不快感が凌駕する結果、通常の消費者は不快感に耐えられない。
【００４２】
パーソナルケア配合領域の当業者であれば、具体的なパーソナルケア組成物の意図された用途に従って好適である本質的な成分、任意添加剤及び賦形剤を選択するための周知の基準を識別するであろう。エマルションと共にパーソナルケア組成物中に配合され得る添加剤の非限定例としては、追加のシリコーン、エアゾール、酸化防止剤、クレンジング剤、着色剤、追加のコンディショニング剤、付着剤、電解質、皮膚軟化剤及び油、剥離剤、起泡増進剤、芳香剤、保湿剤、閉塞剤、殺シラミ剤、ｐＨ調整剤、色素、防腐剤、殺生物剤、他の溶媒、安定剤、日焼け防止剤、懸濁化剤、なめし剤、他の表面活性剤、増粘剤、ビタミン、植物成分、ワックス、レオロジー変性剤、抗フケ剤、抗ニキビ剤、抗う食剤及び創傷治癒促進剤が挙げられる。
【００４３】
本明細書で使用するとき、用語「エマルション」は、乳化剤として上記コポリマーの助けで、第一の分散した内（不連続）相を構成する液体が第二の連続相中に懸濁している、２種の不混和性液体を含む二相系を意味する。
【００４４】
エマルション
上記コポリマーは、驚くべきことに、一部の既知のサッカリドシロキサンと比較したときに、乳化特性が改善されていることが判明した。したがって、乳化剤としてこのコポリマーを含むエマルションが調製されてもよい。このエマルションは、水を含む内水性層と、油を含む外連続相と、乳化剤としてこのコポリマーと、を含む、油中水（ｗ／ｏ）エマルションであってもよい。理論に束縛されるものではないが、このエマルションは、内相の分散を維持するためにこのコポリマー以外のいずれの界面活性剤も更に含む必要はないと考えられる。
【００４５】
エマルションの連続相において使用される油は、シリコーンオイル又は有機油であってもよい。この油は、１〜３５０ｃＳｔの粘度を有するポリジアルキルシロキサンのようなシリコーンオイルであってもよい。このようなシリコーンオイルは、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から、２センチストークス（ｃＳｔ）〜３５０ｃＳｔの範囲の粘度を有するＤＯＷ  ＣＯＲＮＩＮＧ（登録商標）２００  Ｆｌｕｉｄｓ、並びに、ＤＯＷ  ＣＯＲＮＩＮＧ（登録商標）ＦＺ−３１９６、ＤＯＷ  ＣＯＲＮＩＮＧ（登録商標）２４４  Ｆｌｕｉｄ及びＤＯＷ  ＣＯＲＮＩＮＧ（登録商標）２４５  Ｆｌｕｉｄとして市販されている。Ｄｏｗ  Ｃｏｒｎｉｎｇ  Ｃｏｒｐｏｒａｔｉｏｎからのジメチコーン油としては、２ｃＳｔ、５ｃＳｔ、１０ｃＳｔ、２０ｃＳｔ、５０ｃＳｔ、１００ｃＳｔ又は３５０ｃＳｔの粘度を有する、２４４  Ｆｌｕｉｄ、２４５  Ｆｌｕｉｄ及び２００  Ｆｌｕｉｄｓが挙げられる。
【００４６】
あるいは、特定の有機油がエマルションでの使用に好適である。好適な有機油としては、エステル、野菜及び／又は鉱物油、炭化水素油又は脂肪族アルコールが挙げられる。
【００４７】
好適なエステルとしては、ミリスチン酸イソプロピル、オクチルオクタノナノエート、オレイン酸デシル、パルミチン酸イソプロピル、ステアリン酸グリセリル、ステアリン酸エチルヘキシル、イソステアリン酸イソプロピル、Ｃ１２〜Ｃ１５アルキルベンゾエート、オクチルココエート、パルミチン酸オクチル、乳酸ミリスチル及びアジピン酸ジオクチルが挙げられる。エステルの例は、エチルヘキサン酸セチル（Ｔｈｅ  Ｌｕｂｒｉｚｏｌ  Ｃｏｒｐｏｒａｔｉｏｎ  ｏｆ  Ｗｉｃｋｌｉｆｆｅ（Ｏｈｉｏ，Ｕ．Ｓ．Ａ．）からＳｃｈｅｒｃｅｍｏｌ（商標）ＣＯ  Ｅｓｔｅｒとして市販）及びトリエチルヘキサノイン（ＬｕｂｒｉｚｏｌからもＳｃｈｅｒｃｅｍｏｌ（商標）ＧＴＯ  Ｅｓｔｅｒとして市販）を更に含む。
【００４８】
好適な野菜及び鉱物油としては、アーモンド油、杏仁、アボカド油、ヒマシ油、月見草、ホホバ油、ヒマワリ油、オリーブ油、小麦胚芽油及び鉱物油が挙げられる。
【００４９】
好適な炭化水素油としては、ワセリン、鉱物油、スクワレン、カプリン酸系／カプリル酸系トリグリセリド、少なくとも１２個の炭素原子のアルカンが挙げられる。例えば、長鎖アルカン（例えば、イソドデカン又はイソヘキサデカンなどの少なくとも１２個の炭素原子を有するアルカン）が有機油として使用されてもよい。
【００５０】
好適な脂肪族アルコールとしては、ステアリルアルコール、セチルアルコールが挙げられる。
【００５１】
エマルションは、上記コポリマーを油中に分散し、その後、水相を添加することを含む方法により調製されてもよい。水相は、添加間で混合しながら漸増で油相に添加されてもよい。得られた水相と油相の組み合わせは、高せん断にかけられてもよい。この油は、外すなわち連続相を形成する。混合は、例えば、水相を添加しながら十字型撹拌子を用いて７００〜１，０００回転毎分（ｒｐｍ）で混合することにより、実行されてもよい。水相が添加された後、得られた混合物は場合により、１秒〜１０分、あるいは１分〜５分といった一定時間にわたって１，０００〜２，０００ｒｐｍにて更に混合されてもよい。例えば、水相がすべて添加された後の混合条件は、１，０００ｒｐｍにて１分、次いで２，０００ｒｐｍにて５分にわたっての混合を含んでもよい。遊星型ミキサーなどの低せん断ミキサーが、この方法の工程に使用され得る。理論に束縛されるものではないが、このエマルションは、低せん断混合を用いて比較的大きな粒径（例えば、５マイクロメートル以上の規模）を有し得る粗エマルションであり得ると考えられる。
【００５２】
高せん断混合は、非常に高せん断にてエマルション混合させて粒径を低下させ、エマルションの粘度を増加させることを可能にする特別な装置を用いて実行されてもよい。高せん断混合は、エマルションの安定性を改善し得る。高せん断混合は、市販の高せん断デバイス、例えば、ＩＫＡ（Ｗｉｌｍｉｎｇｔｏｎ，Ｎｏｒｔｈ  Ｃａｒｏｌｉｎａ，Ｕ．Ｓ．Ａ．）から市販されているＴ２５  Ｄｉｇｉｔａｌ  ＵＬＴＲＡ−ＴＵＲＲＡＸ（登録商標）などのホモジナイザー又はＳｉｌｖｅｒｓｏｎ  Ｍａｃｈｉｎｅｓ  Ｌｔｄ．（英国）から市販されているＬ４ＲＴなどのホモジナイザーを用いて、実行されてもよい。高せん断混合のための正確な条件は、エマルションの初期粘度などの因子に依存して変化するが、しかしながら、高せん断条件は、７，０００〜８，０００ｒｐｍにて１秒〜１分、あるいは１５秒にわたって混合することにより例示される。理論に束縛されるものではないが、このエマルションは、高せん断混合後に比較的小さな粒径（例えば、５マイクロメートル未満の規模）を有し得る微細エマルションであり得ると考えられる。
【００５３】
所望のエマルションが生じやすくなるような連続体が存在することが当業者により理解されよう。本明細書に記載のエマルションは、他のエマルションと同様の制約を共有する。すなわち、これらは熱力学的に不安定であり、乳化を開始するにはエネルギーの入力を必要とする。混合を介する単純な撹拌でも十分であり得るが、あるいは、高せん断は、高せん断デバイスの採用が用いられ得ることを含むことを意味する。あるいは、反転方法を使用してもよい。
【００５４】
エマルションを形成するのに必要な撹拌の程度は、混合デバイスの採用を必要とし得る。混合デバイスは典型的には、必要とされるエネルギー入力を提供する。このせん断範囲に及ぶこれらの混合デバイスの非限定例としては、１）例えば、プロペラ、傾斜翼インペラ、直翼インペラ、Ｒｕｓｈｔｏｎインペラ又はＣｏｗｌｅｓブレードといった、インペラを有する容器；２）例えば、Ｂａｋｅｒ−Ｐｅｒｋｉｎｓといった混練型ミキサー；３）例えば、ホモジナイザー、ソノレーター又はミクロフルイダイザーといった、開口部を通しての容積移送を用いてせん断を生じる高せん断デバイス；４）例えば、コロイドミル、ホモミックラインミル、ＩＫＡからのホモジナイザー又はＢｅｍａｔｅｋといった、回転子と固定子の構成を用いる高せん断デバイス；５）短軸又は二軸スクリューを有する連続式配合機；６）例えば、Ｔｕｒｅｌｌｏミキサーといった、内部インペラを有するチェンジカンミキサー又は回転子／固定子デバイス；並びに７）例えば、Ｈａｕｓｃｈｉｌｄスピードミキサーといった、遠心分離ミキサーが挙げられる。混合デバイスの組み合わせもまた効果をもたらすことができ、例えば、インペラを有する容器は高せん断デバイスに連結することができる。高せん断デバイスは既知であり、市販されており、例えば、高せん断デバイスは、ＩＫＡ（Ｗｉｌｍｉｎｇｔｏｎ，Ｎｏｒｔｈ  Ｃａｒｏｌｉｎａ，Ｕ．Ｓ．Ａ．）から市販されているＴ２５  Ｄｉｇｉｔａｌ  ＵＬＴＲＡ−ＴＵＲＲＡＸ（登録商標）などのホモジナイザー又はＳｉｌｖｅｒｓｏｎ  Ｍａｃｈｉｎｅｓ  Ｌｔｄ．（Ｅｎｇｌａｎｄ）からの高せん断ミキサーなどのホモジナイザーであってもよい。
【００５５】
混合デバイスの選択は、乳化される内相の種類に基づく。例えば、低粘度の内相は、開口部を通しての容積移送を使用する高せん断デバイスを用いて乳化することができる。しかしながら、高粘度の内相の場合には、回転子／固定子デバイス、二軸配合機又はチェンジカンミキサーが多くの場合、より良い選択である。
【００５６】
エマルションの調製における成分添加の順序は、経験的に決定され得る。例えば、粘性相を乳化するための添加の望ましい順序は、（ａ）コポリマーを油と組み合わせる工程、（ｂ）水を含む水相を漸増で、せん断しながら、粘性相エマルションが生じるまで添加する工程、（ｃ）追加の油で及び／又は油相で所望の濃度にせん断しながら更に希釈する工程、であり得る。この方法は、場合により、下記のものなどの追加の成分を添加する工程を更に含んでもよい。
【００５７】
このコポリマーで作製されるエマルションは、パーソナルケア製品において有用であり得る。したがって、この方法は、場合により、エマルションを用いてパーソナルケア製品を配合する工程を更に含んでもよい。パーソナルケア製品は、これらが適用される身体の部分に対して、美容、治療又はこれらのいくつかの組み合わせについて機能し得る。このような製品の従来の例としては、限定するものではないが、制汗剤及び脱臭剤、スキンクリーム、スキンケアローション、加湿剤、にきび又はしわ除去剤などの顔用トリートメント、パーソナル及び洗顔料、浴用オイル、香料、コロン、サッシェ、日焼け止め剤、プレシェーブ及びアフターシェーブローション、ひげそり用石鹸、及びひげそり用フォーム、毛髪用シャンプー、ヘアコンディショナー、染毛剤、毛髪弛緩剤、ヘアスプレー、ムース、ジェル、パーマ剤、脱毛剤、及びキューティクルコート、メークアップ、着色化粧料、ファンデーション、コンシーラー、ブラシ、口紅、アイライナー、マスカラ、油除去剤、着色化粧料除去剤、リンクルフィラー、肌荒れ隠し（skin imperfection hider）、皮膚表面スムーザー、まつげカーラー、マニキュア液、ヘアメークアップ製品、アイシャドウ、ボディメークアップ、及び粉末、薬剤クリーム、ペースト又はスプレー（抗ニキビ剤など）、歯科衛生品、抗生物質、治癒促進剤、栄養素及びこれらに類するものが挙げられ、これらは予防及び／又は治療用であり得る。一般に、パーソナルケア製品は、限定されるものではないが、液体、リンス、ローション、クリーム、ペースト、ジェル、フォーム、ムース、軟膏、スプレー、エアゾール、石鹸、スティック、軟質固体、固体ジェル及びジェルが挙げられる任意の従来形態での適用を許容する担体と共に配合され得る。好適な担体を構成するものは、当業者には容易に明白である。
【００５８】
エマルションを含むパーソナルケア製品の一部の実施形態では、コポリマーを含むことは、配合物中の他の増粘剤に対する必要を低減し得る。これらの実施形態では、製品の所望の粘度又は濃さは、従来の増粘剤の典型よりも低い量で維持される。これは、増粘剤が例えば、コンディショニング剤といった別の有益剤の望ましい効果を無効にする製品において特に望ましい。これはまた、適用される身体の一部にもたらされる任意の所望の効果のためよりもむしろ加工又は配合特性のために１種以上の増粘剤が含まれる製品においても望ましい。これらの場合、このコポリマーは、拮抗する性能特性を有する１種以上の増粘剤の低減を可能にし得る。
【００５９】
このエマルションを含むパーソナルケア製品の具体的実施形態では、この効果はコンディショニング効果を含み、身体の一部は毛髪を含む。コンディショニング効果の具体例としては、限定するものではないが、帯電防止、潤滑性、光沢、粘性、触知性、扱いやすさ又はスタイリング効果が挙げられる。扱いやすさの非限定例としては、乾燥及び／又は濡れた状態での櫛通りのしやすさが挙げられる。スタイリング効果の非限定例としては、カール保持又は毛髪弛緩効果が挙げられる。コンディショナーは、洗い流すタイプ又は洗い流さないタイプのコンディショナーであり得る。具体的実施形態では、コンディショニング効果は、カール保持効果を含む。
【００６０】
好適なコンディショニング剤の例としては、限定するものではないが、カチオン性ポリマー、カチオン性界面活性剤、タンパク質、天然油、このコポリマー以外のシリコーン、炭化水素、非イオン性界面活性剤、両性界面活性剤又はこれらの混合物が挙げられる。本パーソナルケア製品において有用であり得る追加のシリコーンの例としては、限定するものではないが、アルキルメチルシロキサン、環式シロキサン、ガム、直鎖シロキサン、ＭＱシロキサン樹脂、ＭＴＱシロキサン樹脂、ポリエーテルシロキサンコポリマーが挙げられる。
【００６１】
本発明の更なる実施形態は、身体の一部に効果をもたらすための方法を目的とする。１つのこのような方法は、エマルションを含む安全かつ有効な量のパーソナルケア製品を身体の一部に投与することを含む。１つの具体的実施形態では、安全かつ有効な量のエマルションを投与することを含む毛髪を処理する方法が提供される。非常に特定的な実施形態は、安全かつ有効な量のエマルションを投与することを含む毛髪をスタイリング及び保持する方法を提供する。
【００６２】
上記のようなエマルションを用いてパーソナルケア製品を配合することは、増粘効果をもたらし得る。具体的実施形態では、制汗剤、毛髪、皮膚及び着色化粧製品が提供される。制汗剤製品は、上記のようなエマルションを含むパーソナルケア組成物を用いて配合され、その効果は、配合物が実質的に従来の増粘剤の典型的な量よりも少ない量を含む場合でも、制汗剤の塩の懸濁液を維持するのに十分な増粘効果を含む。具体的実施形態では、制汗剤製品は、固体、軟質固体又はゲルの形態で提供される。より具体的な実施形態では、固体形態は、軟質固体又はゲルを含む。
【００６３】
別の具体的実施形態は、新規パーソナルケア組成物を含むパーソナルケア製品を提供し、その効果はコンディショニング効果の増大を含み、身体の一部は皮膚を含む。（１）エマルションを含む安全かつ有効な量のパーソナルケア製品を投与することと、（２）安全かつ有効な量を皮膚にすりこむこと、を含む、皮膚を処置する方法を目的とする一実施形態が提供される。
【００６４】
別の具体的実施形態は、エマルションを含む着色化粧製品を目的とし、その効果は化粧効果を含む。より具体的実施形態は、液体ファンデーションを目的とする。
【００６５】
具体的実施形態では、油中水エマルションのサンプルを以下の一般手順により調製した。乳化剤と油を混合することにより、油相を調製した。この油は、５ｃＳｔの粘度を有するシリコーンオイルであるミリスチン酸イソプロピル又はＤＯＷ  ＣＯＲＮＩＮＧ（登録商標）２００  Ｆｌｕｉｄであり、Ｄｏｗ  Ｃｏｒｎｉｎｇ  Ｃｏｒｐｏｒａｔｉｏｎから市販されている。乳化剤は上記のようなコポリマーであった。各油相中で、油相は１０％の乳化剤と９０％の油を含有した。９９：１の水：ＮａＣｌの重量比で水と塩化ナトリウムを混合することにより、水相を調製した。あるいは、水相は、水と塩化ナトリウムとグリセロールを９２．５：１．２５：６．２５の重量比（水：ＮａＣｌ：グリセロール）で含んでもよい。各サンプルについて、水相を油相に漸増で添加した。各漸増の添加の間、ＤＡＣ１５０  ＦｌａｃｋＴｅｋ（商標）ＳｐｅｅｄＭｉｘｅｒ（商標）（ＦｌａｃｋＴｅｋ，Ｉｎｃ．（Ｌａｎｄｒｕｍ，Ｓｏｕｔｈ  Ｃａｒｏｌｉｎａ，Ｕ．Ｓ．Ａ．）から市販）で３４００回転毎分（ｒｐｍ）にて一定時間にわたってサンプルを混合して、粗エマルションを得た。
【００６６】
すべての水相が添加された後、得られた粗エマルションをホモジナイザー（ＩＫＡ（Ｗｉｌｍｉｎｇｔｏｎ，Ｎｏｒｔｈ  Ｃａｒｏｌｉｎａ，Ｕ．Ｓ．Ａ．）から市販のＴ２５  Ｄｉｇｉｔａｌ  ＵＬＴＲＡ−ＴＵＲＲＡＸ（登録商標））において７，０００ｒｐｍ以上でのせん断にかけたところ、微細エマルションを得た。
【００６７】
水相は、エマルションの２０重量％〜９５重量％、あるいは４０重量％〜９０重量％、あるいは６０重量％〜８０重量％の範囲の量で存在し得る。
【００６８】
パーソナルケア用途
上記エマルションは、パーソナルケア用途において有用である。上記エマルションがパーソナルケア用途で使用される場合、エマルションは、上記のもののような追加の成分を更に含んでもよい。追加の成分は、追加のシリコーン、エアゾール、酸化防止剤、クレンジング剤、着色剤、追加のコンディショニング剤、付着剤、電解質、皮膚軟化剤及び油、剥離剤、起泡増進剤、芳香剤、保湿剤、閉塞剤、殺シラミ剤、ｐＨ調整剤、色素、防腐剤、殺生物剤、他の溶媒、安定剤、日焼け防止剤、懸濁化剤、なめし剤、他の表面活性剤、増粘剤、ビタミン、植物成分、ワックス、レオロジー変性剤、制汗剤、抗フケ剤、抗ニキビ剤、抗う食剤及び創傷治癒促進剤、追加の油、親水性媒質、充填剤、繊維、フィルム形成ポリマー、追加の界面活性剤及び／又は乳化剤、染料、構造剤、有効成分、芳香剤、防腐剤及びこれらの組み合わせから選択され得る。あるいは、追加の成分は、追加の油、親水性媒質、充填剤、繊維、フィルム形成ポリマー、追加の界面活性剤及び／又は乳化剤、染料、構造剤、有効成分（パーソナルケア有効成分など）、芳香剤、防腐剤又はこれらの組み合わせから選択することができる。
【００６９】
追加の油
追加の油は、上記のような油から選択される別の油であってよく、あるいは油は炭化水素系油、シリコーンオイル及びフッ素化油から選択されてもよい。油は、揮発性油及び不揮発性油及びこれらの混合物から選択され得る。
【００７０】
本出願の目的のために、用語「炭化水素系油」は、炭素及び水素原子から本質的に形成され、更にはからなり、酸素及び窒素原子を含むことも可能であるが、ケイ素又はフッ素原子は全く含有しない、油を意味し、エステル、エーテル、アミン又はアミド基を含有してもよい。
【００７１】
本出願の目的のために、用語「シリコーンオイル」は、少なくとも１個のケイ素原子を含有するかあるいは≡Ｓｉ−Ｏ−を含有する、油を意味する。
【００７２】
本出願の目的のために、用語「フッ素化油」は、少なくとも１個のフッ素原子を含有する油を意味する。
【００７３】
本出願の目的のために、用語「揮発性油」は、皮膚と接触して室温及び大気圧下で１時間未満で蒸発できる油（又は非水性媒質）を意味する。揮発性油は、室温にて液体である、特に室温及び大気圧下にてゼロでない蒸気圧−具体的には０．１３Ｐａ〜４０  ０００Ｐａ（０．００１〜３００ｍｍＨｇ）の範囲、あるいは１．３Ｐａ〜１３  ０００Ｐａ（０．０１〜１００ｍｍＨｇ）の範囲、あるいは１．３Ｐａ〜１３００Ｐａ（０．０１〜１０ｍｍＨｇ）の範囲の蒸気圧−を有する、揮発性美容油であり得る。
【００７４】
加えて、この揮発性油は通常、大気圧下で測定して、１５０℃〜２６０℃、あるいは１７０℃〜２５０℃の範囲の沸点を有する。
【００７５】
エマルションは、特に４０℃〜１０２℃の範囲、あるいは４０℃〜５５℃の範囲、あるいは４０℃〜５０℃の範囲の引火点を有する炭化水素系油から選択される、揮発性炭化水素系油を含んでもよい。
【００７６】
揮発性油は、エマルション中にエマルションの合計重量の０．１重量％〜８０重量％の範囲、あるいは１重量％〜７０重量％の範囲、あるいは５重量％〜５０重量％の範囲の量で存在し得る。
【００７７】
エマルションは、不揮発性液体脂肪相中に少なくとも１つの不揮発性油を含んでもよい。不揮発性油は、不揮発性液体脂肪相の合計重量の０．１重量％〜８０重量％の範囲、あるいは０．５重量％〜６０重量％の範囲、あるいは１重量％〜５０重量％の範囲の量で存在し得る。
【００７８】
揮発性炭化水素系油は、８〜１６個の炭素原子を含有する炭化水素系油、特に分枝鎖Ｃ８〜Ｃ１６アルカン、例えば、石油由来のＣ８〜Ｃ１６イソアルカン（イソパラフィンとしても既知）（例えば、イソドデカン（２，２，４，４，６−ペンタメチルヘプタンとしても既知）、イソデカン及びイソヘキサデカン（例えば、商品名Ｉｓｏｐａｒ又はＰｅｒｍｅｔｈｙｌで販売されている油））、分枝鎖Ｃ８〜Ｃ１６エステル及びイソヘキシルネオペンタノエート及びこれらの組み合わせから選択されてもよい。
【００７９】
また使用されてもよい揮発性油としては、例えば、揮発性直鎖又は環式シリコーンオイルといった揮発性シリコーン、特に８センチストークス（８×１０６ｍ２／ｓ）以下の粘度を有するもの、及び、特に２〜７個のケイ素原子を含有するもの、が挙げられ、これらのシリコーンは場合により、１〜１０個の炭素原子を含有するアルキル又はアルコキシ基を含む。
【００８０】
ノナフルオロ−メトキシブタン又はペルフルオロメチルシクロペンタンなどの揮発性フッ素化溶媒もまた、本組成物中での使用に好適である。
【００８１】
不揮発性炭化水素系油としては、限定されるものではないが、その脂肪酸が４〜２４個の炭素原子の様々な鎖長を有し得る、脂肪酸及びグリセロールのトリエステルなどの、植物由来の炭化水素系油が挙げられ、これらの鎖は直鎖又は分枝鎖、及び、飽和又は不飽和であることが可能である。これらの油は、小麦胚芽油、ヒマワリ油、ブドウ種子油、ゴマ種子油、トウモロコシ油、杏子油、ヒマシ油、シアバター油、アボカド油、オリーブ油、大豆油、扁桃油、パーム油、菜種油、綿実油、ヘーゼルナッツ油、マカダミア油、ホホバ油、アルファルファ油、ケシ種子油、カボチャ油、マロー油、クロフサスグリ種子油、オオマツヨイグサ油、キビ油、大麦油、キノア油、ライ麦油、ベニバナ油、ククイノキ種子油、トケイソウ油又はジャコウバラ油；カプリル系及び／又はカプリン酸トリグリセリド；１０〜４０個の炭素原子を含有する合成エーテル；無極性炭化水素系油−例えば、スクワレン−、直鎖又は分枝鎖炭化水素−例えば、液体パラフィン、液体石油ゼリー及びナフタレン油−、水素添加又は部分水素添加ポリイソブテン、イソエイコサン、スクアラン、デセン／ブテンコポリマー、及びポリブテン／ポリイソブテンコポリマー、並びにポリデセン、並びにこれらの混合物；例えば、式Ｒ’ＣＯＯＲ’’（式中、Ｒ’は、１〜４０個の炭素原子を含有する直鎖又は分枝鎖脂肪酸残基を表し、Ｒ’’は、１〜４０個の炭素原子を含有する特に分枝鎖である炭化水素系鎖を表し、但し、Ｒ’＋Ｒ’’＞１０である）の油といった、合成エステル、例えば、セトステアリルオクタノエート、ミリスチン酸イソプロピル、パルミチン酸イソプロピル、１２〜１５個の炭素原子のアルキルベンゾエート、ラウリン酸ヘキシル、アジピン酸ジイソプロピル、イソノナン酸イソノニル、２−エチルヘキシルパルミテート、イソステアリルイソステアレート、アルコール又はポリアルコールオクタノエート、デカノエート又はリシノレエート、例えば、プロピレングリコールジオクタノエート；例えば、乳酸イソステアリル又はリンゴ酸ジイソステアリルといった、ヒドロキシル化エステル；並びにペンタエリスリトールエステル；１２〜２６個の炭素原子を含有する分枝状及び／又は不飽和炭素系鎖を有する室温にて液体である脂肪族アルコール、例えば、オクチルドデカノール、イソステアリルアルコール、オレイルアルコール、２−ヘキシルデカノール、２−ブチルオクタノール又は２−ウンデシルペンタ−デカノール；オレイン酸、リノール酸又はリノレン酸などの高脂肪酸；炭酸塩；酢酸塩；クエン酸塩；並びにこれらの組み合わせにより例示される。
【００８２】
不揮発性シリコーンオイルは、不揮発性ポリジメチルシロキサン（ＰＤＭＳ）；ペンダントである及び／又はシリコーン鎖の末端に位置するアルキル又はアルコキシ基を含むポリジメチルシロキサン（これらの基は各々３〜４０個の炭素原子を含有する）；フェニルシリコーン；場合によりフッ素化されたポリアルキルメチルシロキサン；脂肪酸、脂肪族アルコール又はポリオキシアルキレンで修飾されたポリシロキサン、並びにこれらの組み合わせであってもよい。アルキルメチルシロキサンは一般に式Ｍｅ３ＳｉＯ［Ｍｅ２ＳｉＯ］Ａ［ＭｅＲ’’’ＳｉＯ］ＢＳｉＭｅ３（式中、Ｒ’’’は６〜３０個の炭素原子を含有する炭化水素基であり、Ｍｅはメチルを表し、重合度（ＤＰ）、すなわち、ＡとＢの和、は、３〜５０の範囲である）を有する。揮発性及び液体種のアルキルメチルシロキサンの両方が本組成物中で使用することができる。
【００８３】
あるいは油はシリコーンカルビノールを含んでもよい。これらの物質は、国際公開第０３／１０１４１２（Ａ２）号に記載されており、置換ヒドロカルビル官能性シロキサン流体又は樹脂として一般に説明することができる。
【００８４】
エマルションは、６５０〜１０，０００ｇ／ｍｏｌの範囲のモル質量を有する油を含有してもよく、これらは、ポリブチレンなどの親油性ポリマー；ポリイソブチレン、例えば、水素添加ポリイソブチレン；ポリデセン及び水素添加ポリデセン；ビニルピロリドン／１−ヘキサデセンコポリマー（ＭＭ＝７３００ｇ／ｍｏｌ）などのビニルピロリドンコポリマー；３５〜７０の範囲の合計炭素数を有する直鎖脂肪酸エステルなどのエステル、例えば、ペンタエリスリチルテトラペラルゴネート；ポリグリセリル−２トリイソステアレートなどのヒドロキシル化エステル；トリデシルトリメリテートなどの芳香族エステル；並びに、ペンタエリスリトールエステル、並びに、トリイソアラキジルシトレート、ペンタエリスリチルテトライソノナノエート、グリセリルトリイソステアレート、グリセリルトリス（２−デシル）テトラデカノエート、ペンタエリスリチルテトライソステアレート、ポリグリセリル−２テトライソステアレート及びこれらの組み合わせから選択されてもよい。
【００８５】
エマルションは、シリコーンガム又は高粘度のシリコーンオイルなどの流体シリコーン化合物を含んでもよい。
【００８６】
２５℃にて１０〜１０，０００，０００ｃＳｔ．、あるいは１，０００〜２，５００，０００ｃＳｔ．、あるいは５，０００〜１，０００，０００ｃＳｔ．、あるいは．１０，０００〜６０，０００ｃＳｔ．の範囲の粘度を有するポリジメチルシロキサンが選択されてもよい。
【００８７】
流体シリコーンの重量平均分子量は、１，０００〜１，５００，０００ｇ／ｍｏｌ、あるいは２００，０００〜１，０００，０００ｇ／ｍｏｌの範囲であり得る。
【００８８】
エマルションの油相は、脂肪相中に封入されたエラストマー固体オルガノポリシロキサンであるシリコーンエラストマーゲルを含有することもでき、ここで、少なくとも１種のエラストマー固体オルガノポリシロキサンは少なくとも部分的に架橋されている。このようなエラストマー固体オルガノポリシロキサンの例は、以下の特許及び特許出願公開に説明されている：米国特許第５６５４３６２号、欧州特許第８４８０２９号、同第８６９１４２号、国際公開第２００７１０９２４０号、同第２００７１０９２６０号、同第２００７１０９２８２号、同第２００９００６０９１号、同第２０１００８０７５５号、米国特許第４，９８７，１６９号及び同第５７６０１１６号。これらのエラストマーゲルは、非乳化性又は自己乳化性又は両方の組み合わせであることができる。
【００８９】
親水性媒質
エマルションの水相は、水又は水と親水性有機溶媒（例えば、２〜５個の炭素原子を含有する直鎖又は分枝鎖低級モノアルコール−例えば、エタノール、イソプロパノール又はｎ−プロパノール−及びポリオール−例えば、グリセロール、ジグリセロール、プロピレングリコール、ソルビトール、ペンチレングリコール及びポリエチレングリコール−などのアルコール又は代替的に親水性Ｃ２エーテル及びＣ２〜Ｃ４アルデヒド）との混合物を含む、親水性媒質を含んでもよい。
【００９０】
水又は水と親水性有機溶媒との混合物は、エマルション中にエマルションの合計重量の０．１重量％〜９５重量％の範囲、あるいは１０重量％〜８０重量％の範囲の量で存在し得る。
【００９１】
充填剤
本明細書に記載のエマルションでの使用に好適な充填剤は、結晶形態（例えば、層状、立方体、六角形、斜方晶系など）に関わりなく、板状、球状又は楕円状といった、任意の形態の鉱物又は有機物質であり得る。例としては、タルク、雲母、シリカ、カオリン、ポリアミド、ポリ−β−アラニン粉末及びポリエチレン粉末、テトラフルオロエチレンポリマー粉末、ラウロイルリシン、デンプン、窒化ホウ素、中空のポリマー微小球、アクリル酸コポリマー、シリコーン樹脂マイクロビーズ、エラストマーポリオルガノシロキサン粒子、沈殿炭酸カルシウム、炭酸マグネシウム、炭酸水素マグネシウム、ヒドロキシアパタイト、中空シリカ微小球、ガラス又はセラミックマイクロカプセル、並びに、例えば、ステアリン酸亜鉛、ステアリン酸マグネシウム、ステアリン酸リチウム、ラウリン酸亜鉛又はミリスチン酸マグネシウムといった金属石鹸、ポリメチルメタクリレート粉末が挙げられる。あるいは、充填剤は、ポリウレタン粉末であってもよい。
【００９２】
あるいは、充填剤は、エラストマーオルガノポリシロキサン粉末であってもよい。有利なことに、エラストマーオルガノポリシロキサンは非乳化性である。球状エラストマーオルガノポリシロキサンは、特許出願：特開昭６１−１９４  ００９号、欧州特許第２４２  ２１９（Ａ）号、同第２９５  ８８６（Ａ）号及び同第７６５  ６５６（Ａ）号に記載されている。オルガノポリシロキサン粉末はまた、米国特許第７，３９９，８０３号に記載のように、他の粒子と混合することもできる。
【００９３】
エラストマーオルガノポリシロキサン粉末は、例えば、米国特許第５，５３８，７９３号に記載されているような、シルセスキオキサン樹脂などのシリコーン樹脂でコーティングされた少なくとも１つのエラストマーオルガノポリシロキサン粉末を含んでもよい。
【００９４】
球状粉末の形状の他のエラストマーオルガノポリシロキサンは、フルオロアルキル基で官能化されたハイブリッドシリコーン粉末又はフェニル基で官能化されたハイブリッドシリコーン粉末であり得る。
【００９５】
充填剤は、Ｎ−アシルアミノ酸粉末であってもよい。Ｎ−アシルアミノ酸は、例えば、２−エチルヘキサノイル、カプロイル、ラウロイル、ミリストイル、パルミトイル、ステアロイル又はココイル基といった、８〜２２個の炭素原子を含有するアシル基を含んでもよい。アミノ酸は、例えば、リシン、グルタミン酸又はアラニンであってもよい。
【００９６】
存在する場合、充填剤は、エマルションに０．０１重量％〜３０重量％の範囲の量で添加され得る。
【００９７】
繊維
本出願の目的のために、用語「繊維」は、長さＬ及び直径Ｄをもつ物体であり、ＬがＤよりもはるかに大きく、Ｄが繊維の断面が内接される円の直径である物体を意味する。
【００９８】
具体的に、比率Ｌ／Ｄ（形状因子）は、３．５〜２５００、あるいは５〜５００、あるいは５〜１５０の範囲である。
【００９９】
エマルション中で使用され得る繊維は、合成又は天然の、鉱物又は有機物質由来の繊維であり得る。エマルション中で使用され得る繊維は、ポリアミド、セルロース、ポリ−ｐ−フェニレン−テレフタミド（terephthamide）又はポリエチレン繊維であってもよい。ポリエチレン繊維もまた使用されてもよい。
【０１００】
繊維は、エマルション中で０．０１重量％〜１０重量％の範囲の量で存在し得る。
【０１０１】
フィルム形成ポリマー
特定のフィルム形成ポリマーは、ゲル化剤であり得る。本出願の目的のために、用語「フィルム形成ポリマー」は、少なくとも２個の繰り返し単位あるいは少なくとも３個の繰り返し単位を含有する化合物を意味し、上記化合物は、単独で又は補助的なフィルム形成剤の存在下で、支持体上に−特にケラチン物質上に−巨視的に連続性のフィルム、あるいは凝集フィルム、あるいは上記支持体から単離できるような凝集及び機械的特性を有するフィルム、を形成することができる。
【０１０２】
一実施形態では、フィルム形成ポリマーは、有機液体媒質が少なくとも１種の油を含む場合に、有機液体媒質中に可溶性であるフィルム形成ポリマー、具体的には脂溶性ポリマー；有機溶媒媒質中に分散性であるフィルム形成ポリマー、具体的にはポリマー粒子の非水性分散体の形状のポリマー、好ましくはシリコーンオイル又は炭化水素系油中の分散体、からなる群から選択されるフィルム形成有機ポリマーである。
【０１０３】
あるいは、エマルション中で使用され得るフィルム形成ポリマーは、フリーラジカル型又は重縮合体型の合成ポリマー、天然由来のポリマー及びこれらの混合物を含んでもよい。このようなフィルム形成ポリマーとしては、アクリル系ポリマー、ポリウレタン、ポリエステル、ポリアミド、ポリ尿素、セルロース系ポリマー（例えば、ニトロセルロース）、シリコーンポリマー（具体的にはシリコーン樹脂、シリコーングラフト化アクリル系ポリマー）、ポリアミドポリマー及びコポリマー、並びにポリイソプレンが挙げられる。
【０１０４】
本発明による組成物は、フィルム形成ポリマーとして、脂肪相中のグラフト化エチレンポリマーの粒子の分散体を含んでもよい。
【０１０５】
フィルム形成ポリマーとして使用され得るシリコーン系マクロモノマーとしては、モノ（メタ）アクリレート末端基を含有するポリジメチルシロキサンが挙げられる。使用され得るシリコーン系マクロモノマーとしては、モノメタクリルオキシプロピルポリジメチルシロキサンが挙げられる。
【０１０６】
あるいは、エマルションは、フィルム形成ポリマーとして直鎖ブロックエチレンポリマー（以下では「ブロックポリマー」と呼ぶ）を含有してもよい。本出願の目的のために、用語「ブロックポリマー」は、少なくとも２つの異なるブロック、好ましくは少なくとも３つの異なるブロック、を含むポリマーを意味する。
【０１０７】
このポリマーは、直線構造のポリマーであってもよい。あるいは、非直線構造のポリマーは例えば、分枝状、星形、グラフト化構造であり、あるいは他の構造も使用され得る。
【０１０８】
一実施形態では、フィルム形成ポリマーは、少なくとも３つの異なるブロックを含み、ブロックポリマーの第一及び第二ブロックは互いに不混和性である。
【０１０９】
一実施形態では、フィルム形成ポリマーは、脂肪相で可溶性である有機フィルム形成ポリマーであり、少なくとも１種の油を含む液相を含む。
【０１１０】
脂溶性フィルム形成ポリマーは、任意の化学種を有してもよく、特に、ａ）４〜５０個の炭素原子の直鎖、分枝鎖又は環式アルキル基を含み、非晶質であり得る、オレフィンの、シクロオレフィンの、ブタジエンの、イソプレンの、スチレンの、ビニルエーテル、エステル若しくはアミドの、又は（メタ）アクリル酸エステル若しくはアミドの、脂溶性非晶質ホモポリマー及びコポリマーから選択され得る。脂溶性ホモポリマー及びコポリマーは、イソオクチル（メタ）アクリレート、イソノニル（メタ）アクリレート、２−エチルヘキシル（メタ）アクリレート、ラウリル（メタ）アクリレート、イソペンチル（メタ）アクリレート、ｎ−ブチル（メタ）アクリレート、イソブチル（メタ）アクリレート、メチル（メタ）アクリレート、ｔｅｒｔ−ブチル（メタ）アクリレート、トリデシル（メタ）アクリレート及びステアリル（メタ）アクリレート又はこれらの組み合わせからなる群から選択されるモノマーから得ることができる。
【０１１１】
使用されてもよい具体的な脂溶性コポリマーとしては、ｉ）シリコーン主鎖とアクリル系グラフトとを含有するか又はアクリル系主鎖とシリコーングラフトとを含有する、アクリルシリコーングラフト化ポリマー（例えば、３Ｍにより名称ＳＡ  ７０．５で販売されており、米国特許第５，７２５，８８２号、同第５，２０９，９２４号、同第４，９７２，０３７号、同第４，９８１，９０３号、同第４，９８１，９０２号及び同第５，４６８，４７７号及び同第５，２１９，５６０号及び欧州特許第０  ３８８  ５８２号に記載の製品）；ｉｉ）上記の部類のうちの１つに属するフルオロ基を有する脂溶性ポリマー（具体的には、米国特許５，９４８，３９３号に記載のＦｏｍｂｌｉｎ製品、並びに、欧州特許第０  ８１５  ８３６号及び米国特許第５，８４９，３１８号に記載のアルキル（メタ）アクリレート／ペルフルオロアルキル（メタ）アクリレートコポリマー）；ｉｉｉ）共役化され（又はジエンであり）得る１個以上のエチレン結合を含むエチレンモノマーの重合若しくは共重合から生じる、ポリマー又はコポリマーが挙げられる。エチレンモノマーの重合若しくは共重合から生じる、ポリマー又はコポリマーとして、ビニル、アクリル系又はメタクリル系コポリマーを使用することが可能である。
【０１１２】
一実施形態では、フィルム形成ポリマーは、スチレン単位又はスチレン誘導体（例えば、メチルスチレン、クロロスチレン又はクロロメチルスチレン）からなる少なくとも１つのブロックを含むブロックコポリマーである。
【０１１３】
一実施形態では、フィルム形成ポリマーは、ビニルエステル（ビニル基はエステル基の酸素原子に直接結合され、ビニルエステルは、エステル基のカルボニルに連結した１〜１９個の炭素原子の飽和した直鎖又は分枝鎖炭化水素系ラジカルを有する）の、及び、ビニルエステル（既に存在するビニルエステル以外）、α−オレフィン（８〜２８個の炭素原子を含有）、アルキルビニルエーテル（そのアルキル基は２〜１８個の炭素原子を含有する）又はアリル系若しくはメタアリル系エステル（エステル基のカルボニルに連結した１〜１９個の炭素原子の飽和した直鎖又は分枝鎖炭化水素系ラジカルを含有）であり得る、少なくとも１個の他のモノマーの、コポリマーから選択される。
【０１１４】
これらのコポリマーは、架橋剤を用いて部分的に架橋されてもよく、架橋剤はテトラアリルオキシエタン、ジビニルベンゼン、ジビニルオクタンジオエート、ジビニルドデカンジオエート及びジビニルオクタデカンジオエートなどのビニル型又はアリル系若しくはメタアリル系型のいずれかであり得る。
【０１１５】
これもまた言及され得る脂溶性フィルム形成ポリマーとしては、９〜２２個の炭素原子を含有するビニルエステルの、又は、アルキルアクリレート若しくはメタクリレートの、共重合から生じるものなどの脂溶性コポリマーが挙げられ、アルキルラジカルは１０〜２０個の炭素原子を含有する。
【０１１６】
このような脂溶性コポリマーは、ポリビニルステアレート、ジビニルベンゼンで、ジアリルエーテルで若しくはジアリルフタレートで架橋されたポリビニルステアレート、ポリステアリル（メタ）アクリレートコポリマー、ポリビニルラウレート及びポリラウリル（メタ）アクリレートコポリマーのコポリマーから選択されてもよく、これらのポリ（メタ）アクリレートはエチレングリコールジメタクリレート又はテトラエチレングリコールジメタクリレートで架橋することが可能である。
【０１１７】
非晶質及び脂溶性重縮合体は好ましくは水素供与性相互作用を行う基をまったく含まず、具体的には、脂肪族ポリエステルは、Ｃ４〜Ｃ５０アルキル側鎖を含有し、あるいは、ポリエステルは、脂肪酸二量体の縮合から生じ、あるいは更には、ポリエステルは、フランス特許第０  １１３  ９２０号に定義されているように、ブロック、グラフト又は末端基の形態でシリコーン系セグメントを含む。
【０１１８】
非晶質及び脂溶性多糖はアルキル（エーテル又はエステル）側鎖を含み、具体的にはアルキルセルロースは飽和若しくは不飽和の、直鎖又は分枝鎖Ｃ１〜Ｃ８アルキルラジカルを含有し、例えば、エチルセルロース及びプロピルセルロースが挙げられる。
【０１１９】
あるいは、フィルム形成ポリマーは、ニトロセルロース、酢酸セルロース、セルロースアセトブチレート、セルロースアセトプロピオネート又はエチルセルロースなどのセルロース系ポリマーから、あるいは、ポリウレタン、アクリル系ポリマー、ビニルポリマー、ポリビニルブチラール、アルキド樹脂、アルデヒド縮合生成物から誘導される樹脂（例えば、トルエンスルホンアミドホルムアルデヒド樹脂といったアリールスルホンアミドホルムアルデヒド樹脂）及びアリールスルホンアミドエポキシ樹脂から選択されてもよい。
【０１２０】
あるいは、フィルム形成ポリマーは、シリコーン樹脂であってもよい。本出願の目的のため、用語「樹脂」は、三次元構造を意味する。一実施形態では、シリコーン樹脂は、シルセスキオキサン及びシロキシシリケートから選択される。一実施形態では、シリコーン樹脂は、トリメチルシロキシシリケートなどのシロキシシリケートから選択され、次式：［Ｒ１６３ＳｉＯ１／２］Ｅ（ＳｉＯ４／２）Ｆ（単位Ｍ及びＱ）（式中、下付き文字Ｅ及びＦは各々独立して５０〜８０の範囲の値を有し、Ｒ１６はメチル又は２個以上の炭素原子のアルキルなどのアルキルを表す）により表される。単位Ｍの単位Ｑに対する比率は、０．７〜１の範囲であり得る。
【０１２１】
あるいは、シリコーン樹脂は、式：［Ｒ１７ＳｉＯ３／２］Ｇ（下付き文字Ｇは最大で数千の範囲であり得る値を有し、Ｒ１７は、メチル又は２個以上の炭素原子のアルキルなどのアルキルを表す）のＴ単位を含むシルセスキオキサンから選択されてもよい。一実施形態では、シルセスキオキサンは、Ｒ１７がメチル基又はプロピル基（ポリプロピルシルセスキオキサン）であるようなシルセスキオキサンであるポリメチルシルセスキオキサンから選択される。ポリメチルシルセスキオキサンは、例えば、５００個未満のＴ単位、あるいは５０〜５００個のＴ単位を含んでもよい。
【０１２２】
本発明の一実施形態では、シリコーン樹脂は、シリコーンオイル又は揮発性有機液体中に、可溶性又は分散性である。一実施形態では、シリコーン樹脂は、２５℃にて固体である。
【０１２３】
一実施形態では、シリコーン樹脂は、１，０００〜１０，０００グラム／ｍｏｌの範囲の分子量を有し得る。
【０１２４】
別の実施形態では、フィルム形成シリコーン樹脂はコポリマーであり、このコポリマーの少なくとも１個の単位は、シリコーン単位Ｍ、Ｄ、Ｔ及びＱから選択され、コポリマーの少なくとも１個の追加の単位はエステルから選択される。
【０１２５】
非限定的方法では、フィルム形成ポリマーは、以下のポリマー又はコポリマーから選択されてもよい：ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、アルキド；アクリル系及び／又はビニルの、ポリマー又はコポリマー；アクリル−シリコーンコポリマー；ポリアクリルアミド；シリコーンポリマー（例えば、シリコーンポリウレタン又はシリコーンアクリル）、並びにフルオロポリマー並びにこれらの混合物。
【０１２６】
フィルム形成ポリマーは、少なくとも１個のカルボシロキサンデンドリマー系単位を含むビニルポリマーであってもよい。このビニルポリマーは、特に主鎖と少なくとも１個の側鎖を有してもよく、カルボシロキサンデンドリマー構造を含む。本出願の目的のために、用語「カルボシロキサンデンドリマー構造」は、主鎖結合から開始する半径方向に高い規則性を有する高分子量の分枝鎖基を有する分子構造を表す。このようなカルボシロキサンデンドリマー構造は、特開平９−１７１１５４号において、高度に分枝状のシロキサン−シリルアルキレンコポリマーの形態で説明されている。
【０１２７】
このビニルポリマーは、欧州特許第０  ９６３  ７５１号の実施例に記載のポリマーのうちの１つ又は上記特許出願に記載のプロセスにより得られるポリマーであり得る。
【０１２８】
一実施形態によると、このビニルポリマーは、少なくとも１個の有機フッ素基を更に含んでもよい。このフルオロビニルポリマーは、国際公開第０３／０４５  ３３７号の実施例に記載のポリマーのうちの１つ又は上記特許出願に記載のプロセスにより得られるポリマーであり得る。
【０１２９】
一実施形態によると、グラフト化ビニルポリマーは、油中に生じ、この油は揮発性であり得、シリコーンオイル及び／又は炭化水素系油から選択される。一実施形態によると、このシリコーンオイルは、シクロペンタシロキサンであってもよい。あるいは、この炭化水素系油は、イソドデカンであってもよい。エマルションは、少なくとも１種のポリアミドポリマー又はコポリマーを含んでもよく、これらは、ポリアミドホモポリマー、脂肪鎖から分枝したポリアミド、ポリアミド−オルガノシロキサン、ポリアミド−ポリエステルコポリマー及びポリアミド−ポリアクリル系コポリマー並びにこれらの混合物から選択されてもよい。
【０１３０】
エマルション中で使用され得るポリアミドポリマーとして、主鎖の中に又はグラフトの形態で１〜１，０００個のオルガノシロキサン単位を含有するポリオルガノシロキサン基を少なくとも１個含むポリアミドにも言及がなされてもよい。このポリアミドポリマーは、例えば、米国特許第５  ８７４  ０６９号、同第５  ９１９  ４４４号、同第６  ０５１  ２１６号、同第５  ９８１  ６８０号及び国際公開第０４／０５４  ５２４号に記載のものである。
【０１３１】
エマルションは、半結晶質ポリマーを含んでもよく、このポリマーは３０℃以上の融点を有し得る。この融点の値は、１分当たり５又は１０℃の温度上昇を伴うＭｅｔｔｌｅｒにより名称ＤＳＣ  ３０で販売されている熱量測定計などの示差走査熱量計（ＤＳＣ）を用いて測定される融点に対応する（考慮される融点は、サーモグラムにおける最大の吸熱ピークの温度に対応する点である）。半結晶質ポリマーは、少なくとも１個の結晶化可能なペンダント鎖又は少なくとも１個の結晶化可能なブロックを含む。結晶化可能な鎖又はブロックを除いては、ポリマーブロックは非晶質である。本発明の目的のために、用語「結晶化可能な鎖又はブロック」は、単独である場合に、融点よりも上か又は下かに依存して非晶質状態から結晶質状態に可逆的に変化する鎖又はブロックを意味する。本出願の目的のために、鎖は、ポリマー主鎖に対してペンダント又は横である原子の群である。ブロックは、主鎖に属する原子の群であり、この群はポリマーの繰り返し単位のうちの１つを構成する。本発明において使用され得る半結晶質ポリマーは、そのモノマーが欧州特許第９５１  ８９７号に記載されている、制御された結晶化のポリオレフィンブロックコポリマーにより例示される。
【０１３２】
存在する場合、フィルム形成ポリマーは、０．１重量％〜３０重量％の範囲の量でエマルション中に存在し得る。
【０１３３】
追加の界面活性剤／乳化剤
エマルションは、追加の界面活性剤又は乳化剤を更に含んでもよい。追加の界面活性剤又は乳化剤は、室温にて固体であってもよく、これは単独で又は２種以上の組み合わせで、ブロックポリマー、グラフト化ポリマー及び／又はランダムポリマーであってもよい。言及され得るグラフト化ポリマーの中には、炭化水素系鎖でグラフト化されたシリコーンポリマー及びシリコーン鎖でグラフト化された炭化水素系ポリマーがある。
【０１３４】
それゆえに、例えば、アクリル系／シリコーン型のグラフト化コポリマーといった、ポリオルガノシロキサン型の少なくとも１個のブロックとフリーラジカルポリマーの少なくとも１個のブロックと、を含むグラフト化ブロック又はブロックコポリマーが使用されてもよく、これらは特に非水性媒質がシリコーンを含有する場合に使用され得る。
【０１３５】
ポリオルガノシロキサン型の少なくとも１個のブロックとポリエーテルの少なくとも１個のブロックとを含むグラフト化ブロック又はブロックコポリマーを使用することも可能である。このポリオルガノポリシロキサンブロックはポリジメチルシロキサン又はポリ（Ｃ２〜Ｃ１８）アルキルメチルシロキサンであってもよく、このポリエーテルブロックはポリオキシエチレン及び／又はポリオキシプロピレンなどのポリ（Ｃ２〜Ｃ１８）アルキレンであってもよい。具体的には、ジメチコーンコポリオール又は（Ｃ２〜Ｃ１８）アルキルジメチコーンコポリオールが使用され得る。
【０１３６】
水溶性又は水分散性シリコーンポリエーテル組成物は、本エマルションに含まれてもよい。これらはまたポリアルキレンオキシドシリコーンコポリマー、シリコーンポリ（オキシアルキレン）コポリマー、シリコーングリコールコポリマー又はシリコーン界面活性剤としても既知である。これらは、直線、熊手型又はグラフト型物質、又はＡＢＡ型であることができ、Ｂはシロキサンポリマーブロックであり、Ａはポリ（オキシアルキレン）基である。このポリ（オキシアルキレン）基は、ポリエチレンオキシド、ポリプロピレンオキシド、又は、ポリエチレンオキシド／ポリプロピレンオキシド基の混合体からなることができる。ブチレンオキシド又はフェニレンオキシドなどの他のオキシドも可能である。本組成物中に含まれてもよい別の型のシリコーンポリエーテル組成物は、欧州特許第０  ４９２  ６５７号に記載されているようなＡＢｎポリアルキレンオキシドシリコーンコポリマーである。
【０１３７】
追加の乳化剤又は界面活性剤は、非イオン性、アニオン性、カチオン性及び両性界面活性剤又はこれらの組み合わせから選択され得る。界面活性剤の特性及び（乳化）機能の定義については、Ｋｉｒｋ−Ｏｔｈｍｅｒの「Ｅｎｃｙｃｌｏｐｅｄｉａ  ｏｆ  Ｃｈｅｍｉｃａｌ  Ｔｅｃｈｎｏｌｏｇｙ」，ｖｏｌｕｍｅ  ２２，ｐｐ．３３３〜４３２，３ｒｄ  ｅｄｉｔｉｏｎ，１９７９，Ｗｉｌｅｙ、特にアニオン性、両性及び非イオン性界面活性剤についてはこの参照文献のｐｐ．３４７〜３７７を参照されたい。
【０１３８】
非イオン性界面活性剤は以下のものを含んでもよい：グリセロールのオキシエチレン化及び／又はオキシプロピレン化エーテル（１〜１５０個のオキシエチレン及び／又はオキシプロピレン基を含んでもよい）；脂肪族アルコール（特にＣ８〜Ｃ２４のあるいはＣ１２〜Ｃ１８のアルコール）のオキシエチレン化及び／又はオキシプロピレン化エーテル（１〜１５０個のオキシエチレン及び／又はオキシプロピレン基を含んでもよい）、例えば、３０個のオキシエチレン基を含有するオキシエチレン化セテアリルアルコールエーテル（ＣＴＦＡ名称Ｃｅｔｅａｒｅｔｈ−３０）及び７個のオキシエチレン基を含むＣ１２〜Ｃ１５脂肪族アルコールの混合物のオキシエチレン化エーテル（ＣＴＦＡ名称Ｃ１２〜１５  Ｐａｒｅｔｈ−７）；ポリエチレングリコール（１〜１５０個のエチレングリコール単位を含み得る）の脂肪酸エステル（Ｃ８〜Ｃ２４あるいはＣ１６〜Ｃ２２の酸など）、例えば、ＰＥＧ−５０ステアレート及びＰＥＧ−４０モノステアレート；オキシエチレン化及び／又はオキシプロピレン化グリセリルエーテル（１〜１５０個のオキシエチレン及び／又はオキシプロピレン基を含んでもよい）の脂肪酸エステル（特にＣ８〜Ｃ２４、好ましくはＣ１６〜Ｃ２２の酸の）、例えば、ＰＥＧ−２００グリセリルモノステアレート；３０個のエチレンオキシド基でポリエトキシル化されたグリセリルステアレート、３０個のエチレンオキシド基でポリエトキシル化されたグリセリルオレエート、３０個のエチレンオキシド基でポリエトキシル化されたグリセリルココエート、３０個のエチレンオキシド基でポリエトキシル化されたグリセリルイソステアレート、及び３０個のエチレンオキシド基でポリエトキシル化されたグリセリルラウレート；オキシエチレン化及び／又はオキシプロピレン化ソルビトールエーテル（１〜１５０個のオキシエチレン及び／又はオキシプロピレン基を含み得る）の脂肪酸エステル（特にＣ８〜Ｃ２４、好ましくはＣ１６〜Ｃ２２の酸の）；ジメチコーンコポリオールベンゾエート；ＥＯ／ＰＯ重縮合体としても既知のプロピレンオキシドの及びエチレンオキシドのコポリマー；並びにこれらの混合物；サッカリドエステル及びエーテル、例えば、スクロースステアレート、スクロースココエート及びソルビタンステアレート、並びにこれらの混合物、ポリオールの、特にグリセロールの又はソルビトールの脂肪酸エステル（例えば、Ｃ８〜Ｃ２４あるいはＣ１６〜Ｃ２２の酸）、例えば、グリセリルステアレート、グリセリルステアレート、グリセリルラウレート、ポリグリセリル−２−ステアレート、トリステアリン酸ソルビタン又はリシノール酸グリセリル。
【０１３９】
アニオン性界面活性剤としては、アミンから誘導されるものなどのＣ１６〜Ｃ３０脂肪酸塩、例えば、トリエタノールアミンステアレート；アミン又はアルカリ金属塩及びこれらの組み合わせから誘導されるものなどのポリオキシエチレン化脂肪酸塩；ホスホン酸エステル及びその塩、例えば、ＤＥＡオレス−１０リン酸塩又はモノセチル一カリウムリン酸スルホコハク酸塩、例えば、ＰＥＧ−５クエン酸ラウリルスルホコハク酸二ナトリウム及びリシノールアミドＭＥＡスルホコハク酸二ナトリウム；アルキルエーテル硫酸塩、例えば、ラウリルエーテル硫酸ナトリウム；イセチオネート；アシルグルタミン酸塩、例えば、水素添加タローグルタミン酸二ナトリウム、アルキルポリグルコシド、並びにこれらの組み合わせが挙げられる。
【０１４０】
エマルションは、例えば、Ｎ−アルキルアミノ酢酸塩及びココアンホ二酢酸二ナトリウムなどのＮ−アシルアミノ酸、並びに、ステアラミンオキシドなどのアミンオキシドといった、両性界面活性剤、あるいは、例えば、ジメチコーンコポリオールリン酸塩といった、シリコーン界面活性剤を更に含んでもよい。
【０１４１】
染料
エマルションは、染料を更に含んでもよい。染料は、粉体染料（色素及び真珠層など）及び水溶性染料から選択されてもよい。本出願の目的のために、用語「色素」は、白色の又は着色された、任意の形状の鉱物又は有機物質粒子を意味し、これらは生理学的媒質中に不溶性であり、エマルションを着色することが意図されているものである。本出願の目的のために、用語「真珠層」は、特に軟体動物の殻により製造されるか又はそうでない場合には合成される任意の形状の真珠光沢粒子を意味する。
【０１４２】
色素は、白色でも又は着色されていてもよく、鉱物及び／又は有機物質であり得る。鉱物色素としては、二酸化チタン、場合により表面処理された、酸化ジルコニウム又は酸化セリウム、酸化亜鉛、酸化鉄（黒色、黄色又は赤色）、酸化クロム、マンガンバイオレット、ウルトラマリンブルー、クロム水和物、第二鉄青及び金属粉末、例えば、アルミニウム粉末又は銅粉末が挙げられる。有機物質色素としては、カーボンブラック、Ｄ  ＆  Ｃ型の色素、コチニールカーマインに又はバリウム、ストロンチウム、カルシウム又はアルミニウムに基づくレーキが挙げられる。
【０１４３】
例えば、ガラス、アクリル系樹脂、ポリエステル、ポリウレタン、ポリエチレンテレフタレート、セラミック又はアルミナといった、天然若しくは合成の、有機物質又は鉱物基材を含む粒子のような、効果を有する色素にも言及はなされ得、上記基材は、コーティングされないか、あるいは、例えば、アルミニウム、金、銀、白金、銅、若しくは青銅といった金属物質で、又は、例えば、二酸化チタン、酸化鉄若しくは酸化クロムといった、金属酸化物で、及びこれらの組み合わせで、コーティングされる。
【０１４４】
真珠層は、チタンで又はオキシ塩化ビスマスでコーティングされた雲母などの白色真珠光色素、酸化鉄でコーティングされたチタン雲母、第二鉄青で若しくは酸化クロムでコーティングされたチタン雲母、上述した種類の有機物質色素でコーティングされたチタン雲母などの着色真珠光色素、並びに更にはオキシ塩化ビスマスに基づく真珠光色素から選択され得る。あるいは、液晶又は多層干渉色素などの干渉色素が使用されてもよい。
【０１４５】
構造剤
エマルションは構造剤を更に含んでもよい。本出願の目的のために、用語「構造剤」は、エマルションの粘度の増加を可能にする化合物を意味する。構造剤は、流体から固体材質にわたる範囲の材質を有することができるエマルションを得ることを可能にする。
【０１４６】
構造剤は、エマルション中にエマルションの合計重量の０．１重量％〜２０重量％の範囲、あるいは０．１重量％〜１５重量％の範囲、あるいは０．５重量％〜１０重量％の範囲の量で存在し得る。
【０１４７】
構造剤は、増粘剤（油系媒質増粘剤、水性媒質増粘剤）、有機ゲル化剤、ワックス、ペースト状化合物及びガムから選択され得る。
【０１４８】
水性媒質増粘剤は、親水性粘土、親水性ヒュームドシリカ、水溶性セルロース系増粘剤、グアーガム、キサンタンガム、イナゴマメガム、スクレログルカンガム、ジェランガム、ラムサンガム、カラヤゴム又はカラギーナンガム、アルギン酸塩、マルトデキストリン、デンプン及びその誘導体、並びにヒアルロン酸及びその塩、Ｈｉｓｐａｎｏ  Ｑｕｉｍｉｃａ又はＧｕａｒｄｉａｎにより名称Ｈｉｓｐａｇｅｌ又はＬｕｂｒａｇｅｌで販売されているポリグリセリル（メタ）アクリレートポリマー、ポリビニルピロリドン、ポリビニルアルコール、架橋アクリルアミドポリマー及びコポリマー、又は代替的に架橋メタクリロイルオキシエチルトリメチルアンモニウムクロリドホモポリマー、会合ポリマー及び特に会合ポリウレタンとアクリル酸ナトリウムのブレンドから選択されてもよい。このような増粘剤は、特に欧州特許第１  ４００  ２３４号に記載されている。
【０１４９】
油系媒質増粘剤は、有機親和性粘土；疎水性ヒュームドシリカ；アルキルグアーガム（Ｃ１〜Ｃ６アルキル基を有する）、例えば、欧州特許第７０８  １１４号に記載のもの；油ゲル化ポリマー、例えば、三元ブロックポリマー、又は、エチレン系基を含有する少なくとも１種のモノマーの重合又は共重合から生じる星形ポリマーから選択されてもよい。
【０１５０】
あるいは、構造剤は、ワックスであり得る。本出願の目的のために、用語「ワックス」は、可逆性固体／液体状態変化を経ると共に、３０℃以上、最大で１２０℃になり得る融点を有する、室温（２５℃）で固体である親油性化合物を意味する。
【０１５１】
ワックスは、炭化水素系ワックス、フッ素ワックス及び／又はシリコーンワックスであってもよく、植物、鉱物、動物及び／又は合成由来のものであってもよい。特に、このワックスは、３０℃を超える融点を有し得る。
【０１５２】
好適なワックスとしては、蜜蝋、カルナバワックス又はキャンデリラワックス、パラフィン、微結晶性ワックス、セレシン又はオゾケライト；合成ワックス、例えば、ポリエチレンワックス又はＦｉｓｃｈｅｒ−Ｔｒｏｐｓｃｈワックス、並びに、シリコーンワックス、例えば、１６〜４５個の炭素原子を含有するアルキル、アルコキシジメチコーン、又は国際公開第２００５１００４４４号に記載のようなシルセスキオキサン樹脂ワックスが挙げられる。
【０１５３】
あるいは、エマルションは、ペースト状化合物を含有してもよく、これは、ラノリン及びその誘導体；高分子又は非高分子シリコーン化合物；高分子又は非高分子フッ素化合物；ビニルポリマー、例えば、オレフィンホモポリマー、オレフィンコポリマー、水素添加ジエンホモポリマー、及び直鎖又は分枝鎖オリゴマー、アルキル（メタ）アクリレートのホモポリマー又はコポリマー、例えば、Ｃ８〜Ｃ３０アルキル基を含有するもの；Ｃ８〜Ｃ３０アルキル基を含有するビニルエステルのオリゴマー、ホモポリマー及びコポリマー；Ｃ８〜Ｃ３０アルキル基を含有するビニルエーテルのオリゴマー、ホモポリマー及びコポリマー；１つ以上のＣ２〜Ｃ１００（あるいはＣ２〜Ｃ５０）ジオール、エステル及びこれらの組み合わせの間のポリエーテル化から生じる脂溶性ポリエーテルから選択されてもよい。エステルとしては、グリセロールオリゴマーのエステル、特にジグリセロールエステル、具体的には、グリセロールのヒドロキシル基の一部がステアリン酸、カプリン酸、ステアリン酸及びイソステアリン酸などの脂肪酸と１２−ヒドロキシステアリン酸の混合物と反応した、アジピン酸とグリセロールの縮合体が挙げられる。植物由来のペースト状化合物としては、大豆ステロールとオキシエチレン化（５ＯＥ）オキシプロピレン化（５ＯＰ）ペンタエリスリトールの混合物が挙げられる。
【０１５４】
有効成分
本明細書で用いるとき、「パーソナルケア有効成分」は、パーソナルケア処方中の添加剤として当該技術分野において既知であり、典型的には、毛髪又は皮膚を処理して美容的及び／又は審美的効果をもたらす目的で添加される、任意の化合物又は化合物の組み合わせを意味する。「ヘルスケア有効成分」は、薬学的又は医学的効果をもたらすのに当該技術分野において既知である、任意の化合物又は化合物の混合物を意味する。したがって、「ヘルスケア有効成分」として、一般的に使用され、Ｃｏｄｅ  ｏｆ  Ｆｅｄｅｒａｌ  Ｒｅｇｕｌａｔｉｏｎｓ，Ｐａｒｔｓ  ２００〜２９９及びＰａｒｔｓ  ３００〜４９９のＴｉｔｌｅ  ２１、Ｃｈａｐｔｅｒ  Ｉに記載されているＵｎｉｔｅｄ  Ｓｔａｔｅｓ  Ｄｅｐａｒｔｍｅｎｔ  ｏｆ  Ｈｅａｌｔｈ  ＆  Ｈｕｍａｎ  Ｓｅｒｖｉｃｅｓ  Ｆｏｏｄ  ａｎｄ  Ｄｒｕｇ  Ａｄｍｉｎｉｓｔｒａｔｉｏｎで規定される有効成分、つまり薬物有効成分と考えられる物質が挙げられる。
【０１５５】
有効成分の一部の代表例としては、薬品、ビタミン、ミネラル；ホルモン；局所的抗菌剤、例えば、抗生物質有効成分、水虫、いんきんたむし又は白癬治療用抗カビ有効成分、及びニキビ有効成分；収れん剤有効成分；防臭剤有効成分；いぼ除去剤有効成分；うおのめ及びたこ除去剤有効成分；頭部、陰部（毛ジラミ）及びヒトジラミの処置のためのシラミ駆除剤有効成分；フケ、脂漏性皮膚炎又は乾癬の制御のための有効成分；並びに、日焼け防止及びトリートメント剤が挙げられる。
【０１５６】
エマルション中で使用するのに有用な有効成分として、「プロビタミン」を含むビタミン及びこれらの誘導体が挙げられる。本明細書で有用なビタミンとしては、ビタミンＡ１、レチノール、レチノールのＣ２〜Ｃ１８エステル、ビタミンＥ、トコフェロール、ビタミンＥのエステル、及びこれらの組み合わせが挙げられるが、これらに限定されない。レチノールとしては、トランス−レチノール、１，３−シス−レチノール、１１−シス−レチノール、９−シス−レチノール、及び３，４−ジデヒドロ−レチノール、ビタミンＣ及びその誘導体、ビタミンＢ１、ビタミンＢ２、プロビタミンＢ５、パンテノール、ビタミンＢ６、ビタミンＢ１２、ナイアシン、葉酸、ビオチン、並びにパントテン酸が挙げられる。本明細書に含まれるとみなされる他の好適なビタミン及びそのビタミンの化粧品原料国際命名法（International Nomenclature Cosmetic Ingredient Name）（ＩＮＣＩ）名は、ジパルミチン酸アスコルビル、ペクチン酸アスコルビルメチルシラノール、パルミチン酸アスコルビル、ステアリン酸アスコルビル、アスコルビン酸グルコシド、リン酸アスコルビルナトリウム、アスコルビン酸ナトリウム、硫酸アスコルビル二ナトリウム、リン酸（アスコルビル／トコフェリル）カリウムである。
【０１５７】
あるいは、エマルションで使用される有効成分は、薬物有効成分であり得る。使用できる一部の好適な薬物有効成分の代表例は、ハイドロコルチゾン、ケトプロフェン、チモロール、ピロカルピン、アドリアマイシン、マイトマイシンＣ、モルヒネ、ヒドロモルフォン、ジルチアゼム、テオフィリン、ドキソルビシン、ダウノルビシン、ヘパリン、ペニシリンＧ、カルベニシリン、セファロチン、セフォキシチン、セフォタキシム、５−フルオロウラシル、シタラビン、６−アザウリジン、６−チオグアニン、ビンブラスチン、ビンクリスチン、硫酸ブレオマイシン、アウロチオグルコース、スラミン、メベンダゾール、クロニジン、スコポラミン、プロプラノロール、塩酸フェニルプロパノールアミン、ウアバイン、アトロピン、ハロペリドール、イソソルビド、ニトログリセリン、イブプロフェン、ユビキノン、インドメタシン、プロスタグランジン、ナプロキセン、サルブタモール、グアナベンズ、ラベタロール、フェニラミン、メトリホナート及びステロイドである。
【０１５８】
過酸化ベンゾイル及びトレチノインなどの抗ニキビ剤；クロロヘキサジエングルコナートなどの抗菌剤；硝酸ミコナゾールなどの抗カビ剤；抗炎症剤；コルチコステロイド性薬品；ジクロフェナクなどの非ステロイド性抗炎症剤；プロピオン酸クロベタゾールなどの抗乾癬剤；リドカインなどの麻酔剤；かゆみ止め剤；抗皮膚炎剤；並びに、一般にバリアフィルムと考えられる薬剤が、本出願の目的のために薬物有効成分として本明細書に含まれると考慮される。
【０１５９】
あるいは、エマルション中の有効成分は、酵素などのタンパク質であり得る。酵素として、市販のもの、改良型、組み換え型、野生型、自然界にみられない変異型、及びこれらの混合物が挙げられるが、これらに限定されない。例えば、好適な酵素として、ヒドロラーゼ、クチナーゼ、オキシダーゼ、トランスフェラーゼ、レダクターゼ、ヘミセルラーゼ、エステラーゼ、イソメラーゼ、ペクチナーゼ、ラクターゼ、ペルオキシダーゼ、ラッカーゼ、カタラーゼ、及びこれらの混合物が挙げられる。ヒドロラーゼとして、プロテアーゼ（細菌性、真菌性、酸性、中性、又はアルカリ性）、アミラーゼ（α又はβ）、リパーゼ、マンナナーゼ、セルラーゼ、コラゲナーゼ、リゾチーム（lisozymes）、スーパーオキシドジスムターゼ、カタラーゼ、及びこれらの混合物が挙げられるが、これらに限定されない。上記プロテアーゼとしては、トリプシン、キモトリプシン、ペプシン、パンクレアチン、及び他の哺乳類酵素、パパイン、ブロメライン、及び他の植物酵素、サブチリシン、エピデルミン、ナイシン、ナリンギナーゼ（Ｌ−ラムノシダーゼ（rhammnosidase））、ウロキナーゼ、及び他の細菌酵素が挙げられるが、これらに限定されない。上記リパーゼとしては、トリアシル−グリセロールリパーゼ、モノアシル−グリセロールリパーゼ、リポタンパク質リパーゼ、例えばステアプシン、エレプシン、ペプシン、他の哺乳類、植物、細菌リパーゼ、及びこれらの精製物が挙げられるが、これらに限定されない。上記酵素として天然パパインが有用である。更に、刺激ホルモン、例えば、インスリンをこれらの酵素と共に用いて、酵素の有効性を強化することができる。
【０１６０】
あるいは、有効成分は、日焼け防止剤であってもよい。日焼け防止剤は、太陽光曝露の有害な影響から皮膚を保護するための当該技術分野において既知の任意の日焼け防止剤から選択することができる。日焼け防止剤は、紫外線（ＵＶ光）を吸収する有機化合物、無機化合物又はこれらの組み合わせから選択され得る。日焼け防止剤として使用できる代表的な非限定例としては、アミノ安息香酸、シノキセート、メトキシケイ皮酸ジエタノールアミン、ジガロイルトリオレエート、ジオキシベンゾン、エチル４−［ビス（ヒドロキシプロピル）］アミノベンゾエート、グリセリルアミノベンゾエート、ホモサラート、ジヒドロキシアセトンを有するローソン、メンチルアントラニレート、オクトクリレン、オクチルメトキシシンナメート、サリチル酸オクチル、オキシベンゾン、パジマートＯ、フェニルベンゾイミダゾールスルホン酸、赤色ワセリン、スルイソベンゾン、二酸化チタン、及びトロラミンサリチル酸、セタミノサロール（cetaminosalol）、アラントイン（Allatoin）ＰＡＢＡ、ベンザルフタリド、ベンゾフェノン、ベンゾフェノン１−１２、３−ベンジリデンカンファー、ベンジリデンカンファー加水分解コラーゲンスルホンアミド、ベンジリデンカンファースルホン酸、サリチル酸ベンジル、ボルネロン、ブメトリオゾール（Bumetriozole）、ブチルメトキシジベンゾイルメタン、ブチルＰＡＢＡ、セリア／シリカ、セリア／シリカタルク、シノキセート、ＤＥＡ−メトキシシンナメート、ジベンゾオキサゾールナフタレン、ジ−ｔ−ブチルヒドロキシベンジリデンカンファー、ジガロイルトリオレエート、ジイソプロピルメチルシンナメート、ジメチルＰＡＢＡエチルセテアリルジモニウムトシレート、ジオクチルブタミドトリアゾン、ジフェニルカルボメトキシアセトキシナフトピラン、ビスエチルフェニルトリアミノトリアジンスチルベン二スルホン酸二ナトリウム、ジスチリルビフェニルトリアミノトリアジンスチルベン二スルホン酸二ナトリウム、ジスチリルビフェニル二スルホン酸二ナトリウム、ドロメトリゾール、ドロメトリゾールトリシロキサン、エチルジヒドロキシプロピルＰＡＢＡ、エチルジイソプロピルシンナメート、エチルメトキシシンナメート、エチルＰＡＢＡ、ウロカニン酸エチル、エトロクリレンフェルラ酸、グリセリルオクタノエートジメトキシシンナメート、グリセリルＰＡＢＡ、グリコールサリチレート、ホモサラート、イソアミルｐ−メトキシシンナメート、イソプロピルベンジルサリチレート、イソプロピルジベンゾイルメタン、イソプロピルメトキシシンナメート、メンチルアントラニレート、メンチルサリチレート、４−メチルベンジリデン、カンファー、オクトクリレン、オクトリゾール、オクチルジメチルＰＡＢＡ、オクチルメトキシシンナメート、オクチルサリチレート、オクチルトリアゾン、ＰＡＢＡ、ＰＥＧ−２５  ＰＡＢＡ、ペンチルジメチルＰＡＢＡ、フェニルベンゾイミダゾールスルホン酸、ポリアクリルアミドメチルベンジリデンカンファー、メトキシケイ皮酸カリウム、フェニルベンゾイミダゾールスルホン酸カリウム、赤色ワセリン、フェニルベンゾイミダゾールスルホン酸ナトリウム、ウロカニン酸ナトリウム、ＴＥＡ−フェニルベンゾイミダゾールス���ホネート、ＴＥＡ−サリチレート、テレフタリリデンジカンファースルホン酸、二酸化チタン、二酸化亜鉛、二酸化セリウム、トリＰＡＢＡパンテノール、ウロカニン酸、及びＶＡ／クロトネート／メタクリルオキシベンゾフェノン−１コポリマーが挙げられる。これらの日焼け防止剤は、１種として、又は２種以上の組み合わせとして、選択することができる。
【０１６１】
あるいは、有効成分は、植物抽出物であってもよい。あるいは、有効成分は、限定されるものではないがジヒドロキシアセトン及びエリトルロースなどの自己なめし剤、あるいは、限定されるものではないがエチルブチルアセチルアミノプロピオネート又はシトロネラのような植物抽出物などの防虫剤であってもよい。エマルション中に存在する有効成分の量は、選択される有効成分の種類及びエマルションの使用方法などの因子に依存して様々であるが、しかしながら、有効成分の量は、エマルションの重量に基づいて、０．０５重量％〜５０重量％、あるいは１重量％〜２５重量％、あるいは１重量％〜１０重量％の範囲であり得る。
【０１６２】
あるいは、有効成分は、制汗剤及び／又は防臭剤であり得る。制汗剤及び防臭剤の一部の例は、塩化アルミニウム、アルミニウムジルコニウムテトラクロロハイドレックスＧＬＹ、アルミニウムジルコニウムテトラクロロハイドレックスＰＥＧ、アルミニウムクロロハイドレックス、アルミニウムジルコニウムテトラクロロハイドレックスＰＧ、アルミニウムクロロハイドレックスＰＥＧ、アルミニウムジルコニウムトリクロロハイドレート、アルミニウムクロロハイドレックスＰＧ、アルミニウムジルコニウムトリクロロハイドレックスＧＬＹ、ヘキサクロロフェン、塩化ベンザルコニウム、アルミニウムセスキクロロハイドレート、重炭酸ナトリウム、アルミニウムセスキクロロハイドレックスＰＥＧ、クロロフィリン−銅錯体、トリクロサン、アルミニウムジルコニウムオクタクロロハイドレート、及びリシノール酸亜鉛である。
【０１６３】
芳香剤
芳香剤又は香料もまたエマルションに添加することができる。芳香剤は、任意の香料又は香料産業において一般に使用されている芳香剤成分であり得る。これらの芳香剤成分は、アルコール、アルデヒド、ケトン、エステル、エーテル、アセテート、ニトリル、テルペン系炭化水素、複素環式窒素又はイオウ含有化合物のように種々の様々な化学物質、並びに、天然又は合成由来の精油の部類に属する。これらの芳香剤成分の多くは、Ｐｅｒｆｕｍｅ  ａｎｄ  Ｆｌａｖｏｕｒ  Ｃｈｅｍｉｃａｌｓ，１９６９，Ｓ．Ａｒｃｔａｎｄｅｒ，Ｍｏｎｔｃｌａｉｒ，Ｎ．Ｊ．などの標準的な教科書参考文献に詳細に記載されている。
【０１６４】
防腐剤
本明細書に記載の乳化剤でエマルションを作製するとき、欧州化粧品規制の付属書ＶＩ第１部−化粧品製品が含有し得る防腐剤のリスト−に列挙されているようなパラベン、ＢＨＴ、ＢＨＡ、フェノキシエタノールなどの様々な防腐剤を添加することが望ましいものであり得る。存在する場合、防腐剤の量は、エマルションの重量に基づいて０．０１重量％〜５重量％の範囲であり得る。
【０１６５】
エマルションは、パーソナルケア製品での使用に好適である。このようなパーソナルケア製品は、制汗剤及び脱臭剤、スキンクリーム、スキンケアローション、加湿剤、にきび又はしわ除去剤などの顔用トリートメント、パーソナル及び洗顔料、浴用オイル、香料、コロン、サッシェ、日焼け止め剤、プレシェーブ及びアフターシェーブローション、ひげそり用石鹸、及びひげそり用フォーム、毛髪用シャンプー、ヘアコンディショナー、染毛剤、毛髪弛緩剤、ヘアスプレー、ムース、ジェル、パーマ剤、脱毛剤、及びキューティクルコート、メークアップ、着色化粧料、ファンデーション、コンシーラー、ブラシ、口紅、アイライナー、マスカラ、油除去剤、着色化粧料除去剤、リンクルフィラー、肌荒れ隠し（skin imperfection hider）、皮膚表面スムーザー、まつげカーラー、マニキュア液、ヘアメークアップ製品、アイシャドウ、ボディメークアップ、及び粉末、薬剤クリーム、ペースト又はスプレー（抗ニキビ剤など）、歯科衛生品、抗生物質、治癒促進剤、栄養素及びこれらに類するものにより例示され、これらは予防及び／又は治療用であり得る。
【実施例】
【０１６６】
以下の実施例は、当業者に本発明を実証するために包含される。しかし本開示の見地から、当業者には当然のことながら、開示される特定の実施形態において本発明の趣旨及び範囲を逸脱しない範囲で多くの変更をなすことができ、依然として類似する、又は同様の結果を得ることができる。すべての量、比率及び百分率は、特に示さない限り、重量によるものとする。
【０１６７】
参考実施例１Ａ−長鎖コポリマー合成
撹拌子と温度制御器と還流凝縮器とを取り付けた１０００ｍＬガラス反応器において、３８０のＤＰと分子当たり８〜１０個のアミノエチルアミノイソブチル基を有するトリメチルシロキシ末端ポリ（ジメチル／メチル（アミノエチルアミノイソブチル）シロキサン）１２５ｇを、ポリ（ジメチル／メチル（アミノエチルアミノイソブチル）シロキサン）上の一級アミンの半分と反応させるのに十分な量である３．５７ｇのグルコノラクトンとまず反応させることにより、コポリマーを調製した。７４℃の温度にて１２９ｇのエタノールの存在下で、この反応を実行した。第二工程では、得られたポリマーをドデシルグリシジルエーテルとテトラデシルグリシジルエーテルの混合物を反応させた。この第二工程反応もまた７４℃にてエタノールの存在下で実行した。
【０１６８】
反応の完了後、３８５．７ｇのミリスチン酸イソプロピル皮膚軟化剤を反応混合物に添加し、その後、エタノール溶媒を完全真空下で７４℃の温度にてストリッピングした。
【０１６９】
参考実施例１Ｂ−長鎖コポリマー合成
撹拌子と温度制御器と還流凝縮器とを取り付けた１０００ｍＬガラス反応器において、３８０のＤＰと分子当たり８〜１０個のアミノエチルアミノイソブチル基を有するトリメチルシロキシ末端ポリ（ジメチル／メチル（アミノエチルアミノイソブチル）シロキサン）１２５ｇを、ポリ（ジメチル／メチル（アミノエチルアミノイソブチル）シロキサン）上の一級アミンの半分と反応させるのに十分な量である３．５７ｇのグルコノラクトンとまず反応させることにより、コポリマーを調製した。７４℃の温度にて１２９ｇのエタノールの存在下で、この反応を実行した。第二工程では、得られたポリマーをドデシルグリシジルエーテルとテトラデシルグリシジルエーテルの混合物を反応させた。この第二工程反応もまた７４℃にてエタノールの存在下で実行した。
【０１７０】
反応の完了後、３８５．７ｇの５ｃＳｔ  ２００  Ｆｌｕｉｄ皮膚軟化剤を反応混合物に添加し、その後、エタノール溶媒を完全真空下で７４℃の温度にてストリッピングした。参考１Ａ及び１Ｂの両方における第二工程についての反応スキームは、以下の通りであった：
【０１７１】
【化４】
0005878536.tif 000005
【０１７２】
この反応スキームでは、下付き文字ｙは８〜１０であり、下付き文字ｘはコポリマーに３５０〜４００のＤＰを与えるのに十分な値であった。プロトン核磁気共鳴（Ｈ−ＮＭＲ）を使用して、上記反応スキームにおける構造を確認した。
【０１７３】
参考実施例２−Ｈ−ＮＭＲ
Ｈ−ＮＭＲを使用して、反応の完了を確認した。試験した各コポリマーについて、０．２ｇのサンプルを小さなバイアル瓶に量り取り、０．１７５ｇのＣＤ３ＯＤ（Ａｌｄｒｉｃｈ）と、０．０３％のトルエンを含有する２．５〜２．７ｇのＣＤＣｌ３とを、サンプルを含有するバイアル瓶に添加し、混和するまで混合した。Ｖａｒｉａｎ  Ｍｅｒｃｕｒｙ  ３００ＭＨｚ分光計を用いて、プロトンＮＭＲスペクトルを生じた。特徴的なサンプルピークとトルエン内部標準の両方のピーク積分により、官能基濃度を得た。カルボニルに近接した炭素上のアルドンアミドプロトンを使用して、内部標準を用いることにより、アルドンアミド濃度を判定した。
【０１７４】
参考実施例３−短鎖コポリマー合成
参考実施例１のポリ（ジメチル／メチル（アミノエチルアミノイソブチル）シロキサン）の代わりに４４のＤＰを有するトリメチルシロキシ末端ポリ（ジメチル／メチル（アミノエチルアミノイソブチル）シロキサン）を用いたことを除いて参考実施例１におけるのと同様に、コポリマーを調製した。撹拌子、還流凝縮器及び温度制御器を取り付けた５００ｍＬフラスコにおいて、４４のＤＰ及び分子当たり平均２．５７個のアミノエチルアミノイソブチル官能基を有するトリメチルシロキシ末端ポリ（ジメチル／メチル（アミノエチルアミノイソブチル）シロキサン）１００ｇと６．６１ｇのδ−グルコノラクトンを添加した。次に、１０６．６ｇのエタノールを添加し、この混合物を７４℃にて反応させた。４時間の反応後、４０．１２ｇのドデシル／テトラデシルグリシジルエーテルを添加し、８時間にわたって反応させた。反応が完了してから、完全真空で７４℃にてストリップすることにより、エタノールを除去した。
【０１７５】
第二工程の反応スキームは以下の通りであった。
【０１７６】
【化５】
0005878536.tif 000006
【０１７７】
参考実施例２に記載のようにＨ−ＮＭＲを使用して、上記反応スキームにおいて構造を確認した。
【０１７８】
実施例１及び２並びに比較実施例１
参考実施例１及び参考実施例３において調製したコポリマーを様々な油に分散して、相溶性を判定した。比較目的のための、Ｅｖｏｎｉｋ  Ｇｏｌｄｓｃｈｍｉｄｔ  Ｃｏｒｐｏｒａｔｉｏｎ（Ｈｏｐｅｗｅｌｌ，Ｖｉｒｇｉｎｉａ，Ｕ．Ｓ．Ａ）から市販のコポリマーＡＢＩＬ（登録商標）ＥＭ  ９０であるセチルポリエチレングリコール、ポリプロピレングリコール官能性ポリジメチルシロキサン。
【０１７９】
これらの乳化剤を油中に分散した。各サンプルでは、９グラムの油と１ｇのコポリマーを周囲条件下で混合した。結果を表１に示す。
【０１８０】
【表１】
0005878536.tif 000007
【０１８１】
表１では、５ｃＳｔ  ２００  Ｆｌｕｉｄは、Ｄｏｗ  Ｃｏｒｎｉｎｇ  ＣｏｒｐｏｒａｔｉｏｎからＤＯＷ  ＣＯＲＮＩＮＧ（登録商標）２００  Ｆｌｕｉｄとして入手可能な５ｃＳｔの粘度を有するポリジメチルシロキサンを指し、ＦＺ−３１９６は、Ｄｏｗ  Ｃｏｒｎｉｎｇ  Ｃｏｒｐｏｒａｔｉｏｎから入手可能なポリジアルキルシロキサン流体を指す。
【０１８２】
エマルション実施例３〜６及び比較エマルション実施例２〜５
参考実施例１のコポリマー（反応スキームの生成物として示される）及び参考実施例３のコポリマー（反応スキームの生成物として示される）をシリコーンオイル（５ｃＳｔ  ２００  Ｆｌｕｉｄ、ポリジメチルシロキサン）中及び有機油（ミリスチン酸イソプロピル）中に分散することにより、油相サンプルを調製した。各油相サンプル中には、１ｇのコポリマーと１８ｇの油と１ｇの無水エタノールを周囲温度にて一晩混合した。比較目的のために、参考実施例１及び参考実施例３において調製される中間体（各々は反応スキームにおける第一構造として示される）を比較油相サンプル中に配合した。各比較油相サンプル中には、１ｇの中間体と１８ｇの油と１ｇの無水エタノールを周囲温度にて一晩混合した。分散体の油相サンプル調製結果を表１に示す。参考実施例１及び３のコポリマーを用いて調製した油相サンプルは、透明な溶液を生じた。参考実施例１及び３の中間体の油相サンプルは、５ｃＳｔのポリジメチルシロキサン油を使用した場合にかすんでいる混合物を生じ、参考実施例１及び３の中間体の油相サンプルはミリスチン酸イソプロピルを使用した場合には混ざらなかった。
【０１８３】
２ｇのＮａＣｌを７８ｇの脱イオン水に添加することにより、水相のサンプルを調製した。この混合物を、透明な溶液が得られるまで、撹拌した。
【０１８４】
２０ｇの油相サンプルの各々に５ｇ漸増の水相を添加することにより、エマルションサンプルを調製した。各添加後に、組成物をＦｌａｃｋＴｅｋ製のＳｐｅｅｄＭｉｘｅｒで３４００ｒｐｍにて５０秒にわたって混合した。合計８０ｇの水相をこの手順を用いて各油相サンプルに添加した。結果を表２に示す。
【０１８５】
【表２】
0005878536.tif 000008
【０１８６】
ＩＰＭはミリスチン酸イソプロピルを指し、５ｃＳｔ  ２００ｆｌ．は、Ｄｏｗ  Ｃｏｒｎｉｎｇ  ＣｏｒｐｏｒａｔｉｏｎからＤＯＷ  ＣＯＲＮＩＮＧ（登録商標）２００  Ｆｌｕｉｄとして入手可能な５ｃＳｔの粘度を有するポリジメチルシロキサンを指す。ＲＥ１Ａは参考実施例１Ａを指す。ＲＥ１Ｂは参考実施例１Ｂを指す。ＲＥ３は参考実施例３を指す。Ｗ／Ｏエマルションは、油中水エマルションが生じたことを意味する。
【０１８７】
乳化手順
油中水エマルションのサンプルを以下の一般手順により調製した。乳化剤と油を混合することにより、油相を調製した。この油は、５ｃＳｔの粘度を有するシリコーンオイルであるミリスチン酸イソプロピル又はＤＯＷ  ＣＯＲＮＩＮＧ（登録商標）２００  Ｆｌｕｉｄであり、Ｄｏｗ  Ｃｏｒｎｉｎｇ  Ｃｏｒｐｏｒａｔｉｏｎから市販されている。乳化剤は上記のようなコポリマー又は比較乳化剤であった。油相の各２０グラム（ｇ）サンプルでは、油相は２ｇの乳化剤と１８ｇの油を含有した。
【０１８８】
３９：１〜９９：１の水：ＮａＣｌの重量比で水と塩化ナトリウムを混合することにより、水相を調製した。各サンプルのために、８０ｇの水相を調製した。
【０１８９】
各サンプルについて、水相を油相に５ｇ漸増で添加した。各漸増の添加の間、ＤＡＣ１５０  ＦｌａｃｋＴｅｋ（商標）ＳｐｅｅｄＭｉｘｅｒ（商標）（ＦｌａｃｋＴｅｋ，Ｉｎｃ．（Ｌａｎｄｒｕｍ，Ｓｏｕｔｈ  Ｃａｒｏｌｉｎａ，Ｕ．Ｓ．Ａ．）から市販）で３４００回転毎分（ｒｐｍ）にて４０秒（ｓ）にわたってサンプルを混合して、粗エマルションを得た。
【０１９０】
すべての水相が添加された後、得られた粗エマルションをホモジナイザー（ＩＫＡ（Ｗｉｌｍｉｎｇｔｏｎ，Ｎｏｒｔｈ  Ｃａｒｏｌｉｎａ，Ｕ．Ｓ．Ａ．）から市販のＴ２５  Ｄｉｇｉｔａｌ  ＵＬＴＲＡ−ＴＵＲＲＡＸ（登録商標））において７，０００ｒｐｍ以上でのせん断にかけたところ、最終エマルションサンプルを得た。
【０１９１】
参考実施例４−撹拌子ミキサーを用いるエマルションの作製プロセス
乳化剤としてコポリマーを用いて、表３、５及び７中の成分を含有するエマルションを以下の方法により調製した：
１．相Ａの成分を共に混合して、均質ミックスを得た。
【０１９２】
２．相Ｂの成分を共に混合して、均質ミックスを得た。
【０１９３】
３．（十字型撹拌子を用いて）混合しながら、相Ｂを相Ａに添加した。相Ｂを添加する間、混合速度を７００ｒｐｍから１０００ｒｐｍに高めた。
【０１９４】
４．すべての相Ｂを添加した後、得られた生成物を１０００ｒｐｍにて１分にわたって、及び、２０００ｒｐｍにて５分にわたって混合した。粗エマルションを得た。
【０１９５】
５．粗エマルションの１００グラムのサンプルを高せん断混合装置に１５秒にわたって通過させ、粒径を低減させた。高せん断混合装置は、Ｓｉｌｖｅｒｓｏｎ  Ｍａｃｈｉｎｅｓ  Ｌｔｄ．（英国）製の実験室ミキサーであった。微細エマルションを得た。
【０１９６】
参考実施例５−エマルション安定性
本明細書で調製したエマルション７〜２９の安定性を、室温（ＲＴ）、４０℃及び５０℃にて６ヶ月にわたる各エマルションのサンプルの保存中に評価した。目視検査により、安定性を評価した。結果は下記の表４、６及び８にある。
【０１９７】
参考実施例６−エマルションの冷凍／解凍安定性
本明細書で調製したエマルション７〜２９のサンプルを冷凍／解凍安定性について評価した。手順は以下の通りであった。
【０１９８】
１．エマルションのサンプルを４℃にて最短でも１２時間にわたって冷凍し、その後、室温にて数時間にわたって保存した。
【０１９９】
２．エマルション安定性を評価した。目視検査により、安定性を評価した。
【０２００】
３．工程１及び２を５回繰り返した。結果は下記の表４、６及び８にある。
【０２０１】
【表３】
0005878536.tif 000009
【０２０２】
この表では、Ｃｒｏｄａｍｏｌ  ＧＴＣＣは、低粘度の中鎖トリグリセリドを指し、これは皮膚軟化剤として使用される。Ｃｒｏｄａｍｏｌ  ＧＴＣＣは、Ｃｒｏｄａ，Ｉｎｃ．（Ｅｄｉｓｏｎ，Ｎｅｗ  Ｊｅｒｓｅｙ，Ｕ．Ｓ．Ａ．）から市販されている。
【０２０３】
【表４】
0005878536.tif 000010
【０２０４】
【表５】
0005878536.tif 000011
【０２０５】
【表６】
0005878536.tif 000012
【０２０６】
【表７】
0005878536.tif 000013
【０２０７】
【表８】
0005878536.tif 000014
【産業上の利用可能性】
【０２０８】
上記コポリマーは、特に油がシリコーン及び／又は有機油を含む、油中水（ｗ／ｏ）型のエマルションのための乳化剤として有用である。このコポリマーは、臭いの少ない、すなわち、シリコーンポリエーテル乳化剤を含有するエマルションと比較して臭いの少ない、エマルションをもたらすことができる。このコポリマーはまた、皮膚に対して無刺激性であるエマルションをもたらすこともでき、すなわち、このコポリマーを含有する安全及び有効量のエマルションを含有するパーソナルケア製品は、皮膚への適用に好適である。